(57)【要約】医療用流体送達システム（３００）は、複数の利用可能なワークフロー構成要素（３０６）から１つ以上のワークフロー（３０７）を作成するように、ワークフロー構築論理（３０４）を含む。作成されたワークフロー（３０７）はそれぞれ、複数の利用可能なワークフロー構成要素（３０６）からの適正な一部のワークフロー構成要素を含有してもよい。ワークフロー（３０７）は、ワークフロー構成要素（３０６）を表す図形要素を選択し、配設することによって、ワークフロー構築論理（３０４）およびユーザインターフェース（３０２）を使用して作成されてもよい。構築されたワークフロー（３０７）は、所与の介護グループの診療と対応してもよい。医療用流体送達システム（３００）はさらに、ワークフロー（３０７）を実行するように動作可能である、ワークフロー実行論理（３０５）を含んでもよい。
2012510315.tif 000002
【特許請求の範囲】
【請求項１】
注入デバイスと、
ユーザインターフェースと、
前記ユーザインターフェースを通して、複数の利用可能なワークフロー構成要素をユーザに提示するように動作可能である、ワークフロー構築論理であって、前記ワークフロー構築論理は、前記ユーザインターフェースを通して、前記ユーザから適正な一部の前記複数の利用可能なワークフロー構成要素の選択を受信するように動作可能であり、前記ワークフロー構築論理は、前記適正な一部からワークフローを構築するように動作可能である、ワークフロー構築論理と
を備える、医療用流体送達システム。
【請求項２】
前記ユーザインターフェースは、前記注入デバイスと一体化している、請求項１に記載の医療用流体送達システム。
【請求項３】
前記注入デバイスは、前記ワークフロー構築論理を備える、請求項２に記載の医療用流体送達システム。
【請求項４】
前記複数の利用可能なワークフロー構成要素は、相互排他的ワークフロー構成要素を備え、前記ワークフロー構築論理は、前記相互排他的構成要素のうちの２つ以上の同時選択、および前記ワークフローの中の前記相互排他的構成要素のうちの２つ以上の同時包含のうちの少なくとも１つを防止するように動作可能である、請求項１〜３のうちのいずれか１項に記載の医療用流体送達システム。
【請求項５】
前記複数の利用可能なワークフロー構成要素は、シリンジ種類の選択、シリンジ数量の選択、注入プロトコルの選択、シリンジの搭載、シリンジの再搭載、シリンジの充填、管類セットの接続および浄化、開通性チェック、試験注入、主要注入、結果表示、結果印刷、ならびに管類およびシリンジの除去のうちの少なくとも１つに関する、ワークフロー構成要素を備える、請求項１〜４のうちのいずれか１項に記載の医療用流体送達システム。
【請求項６】
前記ワークフロー構築論理は、前記複数の利用可能なワークフロー構成要素の少なくとも一部分と関連して前記ユーザインターフェース上に表示される視覚要素の改変を可能にする、請求項１〜５のうちのいずれか１項に記載の医療用流体送達システム。
【請求項７】
前記視覚要素は、テキスト要素を備える、請求項６に記載の医療用流体送達システム。
【請求項８】
ユーザに前記ワークフローを提示するように動作可能である、ワークフロー実行論理をさらに備える、請求項１〜７のうちのいずれか１項に記載の医療用流体送達システム。
【請求項９】
前記ワークフロー実行論理は、前記ワークフローの各ワークフロー構成要素について、表示上で少なくとも１つの出力を生成する、請求項８に記載の医療用流体送達システム。
【請求項１０】
前記ワークフロー実行論理は、前記ワークフローに従って表示上で一連の出力を生成する、請求項８〜９のうちのいずれか１項に記載の医療用流体送達システム。
【請求項１１】
前記ワークフロー実行論理は、前記ワークフローの実施を一時的に一時停止するように動作する、一時停止機能を備え、
前記ワークフローが一時的に一時停止されている間に、前記医療用流体送達システムは、前記ワークフローの一部ではない機能を実施するように動作可能であり、前記ワークフロー実行論理は、前記一時停止機能の完了後に再開する、請求項８〜１０のうちのいずれか１項に記載の医療用流体送達システム。
【請求項１２】
前記ワークフロー実行論理は、所定の順序で、前記適正な一部の前記複数の利用可能なワークフロー構成要素のうちの各ワークフロー構成要素を連続的に実行するように動作する、請求項８〜１１のうちのいずれか１項に記載の医療用流体送達システム。
【請求項１３】
複数の記憶されたワークフローをさらに備える、請求項１〜１２のうちのいずれか１項に記載の医療用流体送達システム。
【請求項１４】
前記複数の記憶されたワークフローからのワークフローの選択を可能にする、データ入力デバイスをさらに備える、請求項１３に記載の医療用流体送達システム。
【請求項１５】
医療用流体送達システムを操作する方法であって、
複数の利用可能なワークフロー構成要素を備える、医療用流体送達システムを提供するステップと、
ワークフロー内に含むために、前記複数の利用可能なワークフロー構成要素から適正な一部のワークフロー構成要素を選択するステップと
を含む、方法。
【請求項１６】
前記ワークフローを形成するように、前記適正な一部のうちのワークフロー構成要素を配設するステップをさらに含む、請求項１５に記載の方法。
【請求項１７】
前記選択するステップおよび配設するステップのうちの少なくとも１つは、前記医療用流体送達システムによって、一式の相互排他的ワークフロー構成要素のうちの前記ワークフロー内の包含を防止するステップを含む、請求項１５に記載の方法。
【請求項１８】
共通色、共通パターン、および共通形状のうちの少なくとも１つを伴う、前記一式の相互排他的ワークフロー構成要素のうちの各ワークフロー構成要素を表す、視覚要素を表示するステップをさらに含む、請求項１７に記載の方法。
【請求項１９】
前記配設するステップは、ワークフロー構成要素が別のワークフロー構成要素に対して不適切な位置にあることをユーザに示す、前記医療用流体送達システムを備える、請求項１６〜１８のうちのいずれか１項に記載の方法。
【請求項２０】
ユーザインターフェース上に複数の視覚要素を表示するステップをさらに含み、前記複数の視覚要素のそれぞれは、前記複数の利用可能なワークフロー構成要素のうちの少なくとも１つのワークフロー構成要素を表す、請求項１５〜１９のうちのいずれか１項に記載の方法。
【請求項２１】
前記選択するステップは、前記ユーザインターフェースの第１の部分から前記ユーザインターフェースの第２の部分へ前記視覚要素のうちの１つを移動させるステップを含む、請求項２０に記載の方法。
【請求項２２】
前記ユーザインターフェースの前記第１の部分は、未選択のワークフロー構成要素を表す複数の視覚要素を備え、前記ユーザインターフェースの前記第２の部分は、選択されたワークフロー構成要素を表す複数の視覚要素を備える、請求項２１に記載の方法。
【請求項２３】
前記選択するステップは、前記ワークフロー内に、調整可能パラメータを備えるワークフロー構成要素を含むステップを含む、請求項１５〜２２のうちのいずれか１項に記載の方法。
【請求項２４】
前記選択するステップおよび配設するステップのうちの少なくとも1つの間に、前記調整可能パラメータの初期設定値を入力するステップをさらに含む、請求項２３に記載の方法。
【請求項２５】
前記選択するステップおよび配設するステップのうちの少なくとも1つの間に、前記調整可能パラメータの初期設定範囲を入力するステップをさらに含む、請求項２３に記載の方法。
【請求項２６】
前記選択するステップおよび配設するステップの完了後に、前記調整可能パラメータの値を入力するステップをさらに含む、請求項２４〜２５のうちのいずれか１項に記載の方法。
【請求項２７】
前記選択するステップおよび配設するステップの間に、部分的に構築されたワークフローの表現を表示するステップをさらに含む、請求項１５〜２６のうちのいずれか１項に記載の方法。
【請求項２８】
前記適正な一部のうちのワークフロー構成要素と関連する表示のテキスト要素をカスタマイズするステップをさらに含む、請求項１５〜２７のうちのいずれか１項に記載の方法。
【請求項２９】
患者に医療用流体を注入するために、前記医療用流体送達システムを準備するように前記ワークフローの少なくとも一部分を実施するステップをさらに含む、請求項１５〜２８のうちのいずれか１項に記載の方法。
【請求項３０】
前記ワークフローの前記少なくとも一部分は、前記医療用流体送達システム上にシリンジを載置するステップに関するワークフロー構成要素を備える、請求項２９に記載の方法。
【請求項３１】
前記ワークフローの前記少なくとも一部分は、前記医療用流体送達システムの複数部分から空気を排出するステップに関するワークフロー構成要素を備える、請求項２９〜３０のうちのいずれか１項に記載の方法。
【請求項３２】
前記ワークフローの少なくとも一部分を実施する前記ステップは、臨床医に対する指図を表示するステップ、および前記医療用流体送達システムによる、前記適正な一部のうちのワークフロー構成要素の少なくとも一部分の自動実施のうちの少なくとも１つを含む、請求項２９〜３１のうちのいずれか１項に記載の方法。
【請求項３３】
前記実施するステップは、第１のワークフロー構成要素と関連する第１の表示、および第２のワークフロー構成要素と関連する第２の表示を連続的に表示するステップを含み、前記第１の表示は、前記第２のワークフロー構成要素に関する情報を含まず、前記第２の表示は、前記第１のワークフロー構成要素に関する情報を含まない、請求項２９〜３２のうちのいずれか１項に記載の方法。
【請求項３４】
前記医療用流体送達システムから医療用流体を放出するステップをさらに含む、請求項１５〜３３のうちのいずれか１項に記載の方法。
【請求項３５】
患者に医療用流体を注入するように前記ワークフローを実行するステップをさらに含む、請求項１５〜２８のうちのいずれか１項に記載の方法。
【請求項３６】
前記実行するステップは、プロトコルを選択するステップを含み、前記医療用流体送達システムは、前記プロトコルを選択するステップで選択された前記プロトコルに基づいて、前記ワークフローを選択する、請求項３５に記載の方法。
【請求項３７】
前記選択するステップは、医療用流体送達システム管理者によって実施され、前記実行するステップは、臨床医によって開始される、請求項３５〜３６のうちのいずれか１項に記載の方法。
【請求項３８】
前記選択するステップは、前記適正な一部のうちのワークフロー構成要素に関する初期設定値を割り当てるステップを含み、前記実行するステップは、前記初期設定値を使用して実施される、請求項３５〜３７のうちのいずれか１項に記載の方法。
【請求項３９】
前記実行するステップの間に、前記初期設定値を無効にするステップをさらに含む、請求項３８に記載の方法。
【請求項４０】
前記初期設定値を割り当てるステップは、ユーザによって実施される、請求項３８〜３９のうちのいずれか１項に記載の方法。
【請求項４１】
前記選択するステップは、前記適正な一部のうちのワークフロー構成要素に関する初期設定範囲を割り当てるステップを含み、前記実行するステップは、前記初期設定値を使用して実施される、請求項３５〜４０のうちのいずれか１項に記載の方法。
【請求項４２】
前記実行するステップの間に、前記ワークフロー構成要素に関する値が前記範囲の外側にあることを示す警告を生成するステップをさらに含む、請求項４１に記載の方法。
【請求項４３】
前記初期設定範囲を割り当てるステップは、ユーザによって実施される、請求項４１〜４２のうちのいずれか１項に記載の方法。
【請求項４４】
前記実行するステップは、前記適正な一部のワークフロー構成要素を連続的に実施するステップを含む、請求項３５〜４３のうちのいずれか１項に記載の方法。
【請求項４５】
前記実行するステップは、第１の表示上に臨床医に対する指図を提示するステップ、および前記医療用流体送達システムによる、前記適正な一部のうちのワークフロー構成要素の少なくとも一部分の自動実施のうちの少なくとも１つを含む、請求項３５〜４４のうちのいずれか１項に記載の方法。
【請求項４６】
前記実行するステップは、連続的に、第１のワークフロー構成要素と関連する第１の表示上に第１の出力を提示し、第２のワークフロー構成要素と関連する第２の表示上に第２の出力を提示するステップを含み、前記第１の出力は、前記第２のワークフロー構成要素に関する情報を含まず、前記第２の出力は、前記第１のワークフロー構成要素に関する情報を含まない、請求項３５〜４５のうちのいずれか１項に記載の方法。
【請求項４７】
前記第２のワークフロー構成要素と関連する前記第２の出力を提示するステップは、前記第１のワークフロー構成要素の完了後に自動的に発生する、請求項４６に記載の方法。
【請求項４８】
各ワークフロー構成要素の完了前に前記ワークフローを終了するステップと、
前記ワークフローから逸脱するタスクを前記医療用流体送達システムで実施するステップと
をさらに含む、請求項３５〜４７のうちのいずれか１項に記載の方法。
【請求項４９】
前記選択するステップの実施を可能にするように、前記医療用流体送達システムにパスワードを提供するステップをさらに含む、請求項１５〜４８のうちのいずれか１項に記載の方法。
【請求項５０】
前記選択するステップの後に前記ワークフローを保存するステップをさらに含む、請求項１５〜４９のうちのいずれか１項に記載の方法。
【請求項５１】
前記保存するステップの後、および前記実行するステップの前に、前記ワークフローを選択するステップをさらに含む、請求項５０に記載の方法。
【請求項５２】
前記選択するステップは、複数の記憶されたワークフローから前記ワークフローを選抜するステップを含む、請求項５１に記載の方法。
【請求項５３】
前記選抜するステップは、データ入力デバイスで実施される、請求項５２に記載の方法。
【請求項５４】
前記保存するステップの後、および前記実行するステップの前に、初期設定ワークフローとして前記ワークフローを指定するステップをさらに含む、請求項５０に記載の方法。
【請求項５５】
注入デバイスと、メモリユニットとを備える、医療用流体送達システムであって、前記メモリユニットは、
注入実行パラメータを含有する、少なくとも１つの注入プロトコルと、
複数のワークフロー構成要素と、
第１の適正な一部の前記複数のワークフロー構成要素を備える、第１のワークフローであって、前記第１のワークフローは、前記第１の適正な一部に含有されないワークフロー構成要素を含まない、第１のワークフローと
を備える、医療用流体送達システム。
【請求項５６】
それぞれ注入実行パラメータを含有する、複数の注入プロトコルをさらに備える、請求項５５に記載の医療用流体送達システム。
【請求項５７】
第２の適正な一部の前記複数のワークフロー構成要素を備える、第２のワークフローをさらに備え、前記第２のワークフローは、前記第２の適正な一部に含有されないワークフロー構成要素を含まず、前記第１の適正な一部は、前記第２の適正な一部とは異なる、請求項５５〜５６のうちのいずれか１項に記載の医療用流体送達システム。
【発明の詳細な説明】
【技術分野】
【０００１】
（関連出願の相互参照）
本出願は、米国特許法第１１９条（ｅ）のもとで、２００８年１１月２８日に出願された、係属中の「Ｗｏｒｋｆｌｏｗ  Ｄｒｉｖｅｎ  Ｕｓｅｒ  Ｉｎｔｅｒｆａｃｅ  Ｆｏｒ  Ａ  Ｐｏｗｅｒ  Ｉｎｊｅｃｔｉｏｎ  Ｓｙｓｔｅｍ」という名称の米国仮特許出願第６１／１１８，５１５号に対する優先権を主張し、この仮特許出願の全開示は本開示に矛盾しない程度まで本明細書において参照により援用される。
【０００２】
（発明の分野）
本発明は、概して、医療用流体送達システムの分野に関し、より具体的には、医療用流体送達システムの設定および操作のためのユーザインターフェースの分野に関する。
【背景技術】
【０００３】
（背景）
種々の医療手技は、１つ以上の医療用流体が患者に注入されることを要求する。例えば、医療用撮像手技はしばしば、おそらく生理食塩水および／または他の流体とともに、患者への造影剤の注入を伴う。他の医療手技は、治療目的で患者に１つ以上の流体を注入することを伴う。自動注入器が、これらの種類の用途に使用されてもよい。
【０００４】
自動注入器は概して、一般的にパワーヘッドと呼ばれるものを含む。１つ以上のシリンジが、種々の方式で（例えば、着脱可能に、後方搭載式、前方搭載式、側面搭載式）パワーヘッドに載置されてもよい。各シリンジは、典型的には、シリンジプランジャ、ピストン、または同等物として特徴付けられてもよいものを含む。シリンジプランジャドライバの動作が、シリンジの筒の内側で、およびそれに対して、関連シリンジプランジャを軸方向に前進させるように、それぞれのそのようなシリンジプランジャは、パワーヘッドに組み込まれる適切なシリンジドライバと界面接触する（例えば、接触および／または一時的に相互接続する）ように設計される。１つの典型的なシリンジプランジャドライバは、ネジ山付き主ネジまたは駆動ネジに載置される、ラムの形態である。１つの回転方向への駆動ネジの回転が、１つの軸方向に関連ラムを前進させる一方で、反対の回転方向への駆動ネジの回転は、反対の軸方向に関連ラムを前進させる。
【０００５】
自動注入器上のユーザインターフェースは概して、所与の時に自動注入器の種々の能力が評価されてもよいように組織化される。この融通性は、典型的には、ユーザインターフェースに、あるレベルの複雑性を要求する。概して、ユーザは、医療用流体を注入するために組織によって要求されるステップの順序が分かるように訓練に依存する。典型的には、各ステップにおいて、ユーザがメニューを通過し、実施されるステップを見つけ、ステップを開始する。
【発明の概要】
【課題を解決するための手段】
【０００６】
（概要）
本発明は概して、医療用途との関連で、特に、医療用流体の送達との関連で、ワークフローの作成を対象とする。概して、ワークフローは、ワークフローが実行されると、医療用流体送達システムを使用して手技を実施するよう、所定の順番でワークフロー構成要素が実施されるように、所定の順番で配設された一式のワークフロー構成要素である。そのような手技は、例えば、医療用流体送達システムを設定し、次いで、医療用流体送達システムで患者に医療用流体（例えば、造影剤および／または生理食塩水）を注入するステップを含んでもよい。ワークフロー構成要素は、医療用流体送達システムの使用に関連して実施されてもよい、別個のタスクまたは一式のタスクである。例えば、ワークフロー構成要素は、医療用流体送達システム上に事前充填されたシリンジを搭載または載置する指図を含んでもよい。
【０００７】
本発明の第１の側面は、注入デバイスと、ユーザインターフェースと、ワークフロー構築論理とを含む、医療用流体送達システムによって具現化される。ワークフロー構築論理は、ユーザインターフェースを通して、ユーザに複数の利用可能なワークフロー構成要素を提示するように動作可能である。ワークフロー構築論理は、ユーザインターフェースを通して、ユーザから適正な一部の複数の利用可能なワークフロー構成要素の選択を受信するように動作可能である。ワークフロー構築論理は、適正な一部からワークフローを構築するように動作可能である。
【０００８】
いくつかの特徴の改良および追加特徴が、本発明の第１の側面に適用可能である。これらの特徴の改良および追加特徴は、個別に、または任意の組み合わせで使用されてもよい。そのようなものとして、論議される以下の特徴のそれぞれは、任意の他の特徴または第１の側面の特徴の組み合わせとともに使用されてもよいが、そのように要求はされない。以下の論議は、本発明の第２の側面の論議の開始まで、第１の側面に適用可能である。
【０００９】
ユーザインターフェースは、注入デバイスと一体化してもよい（例えば、自動注入器の表示によって組み込まれる）。注入デバイスは、ワークフロー構築論理を含んでもよい。例えば、ワークフロー構築論理は、自動注入器のパワーヘッドに統合されてもよい。ある配設では、ユーザインターフェース、注入デバイス、およびワークフロー構築論理は、一体デバイスであってもよい。
【００１０】
複数の利用可能なワークフロー構成要素は、相互排他的ワークフロー構成要素を含んでもよい。選択に利用可能である、ワークフロー構成要素のうちの少なくともいくつかは、相互排他的であってもよい。ワークフロー構築論理は、ワークフローの構築中に相互排他的構成要素の同時選択を防止するように動作可能であってもよい。同様に、ワークフロー構築論理は、ワークフローの中の相互排他的構成要素の同時包含を防止するように動作可能であってもよい。複数の利用可能なワークフロー構成要素は、シリンジ種類の選択、シリンジ数量の選択、注入プロトコルの選択、シリンジの搭載、シリンジの再搭載、シリンジの充填、管類セットの接続および浄化、開通性チェック、試験注入、主要注入、結果表示、結果印刷、ならびに管類およびシリンジの除去のうちの１つ以上に関するワークフロー構成要素を含んでもよい。
【００１１】
ワークフロー構築論理は、複数の利用可能なワークフロー構成要素の少なくとも一部分と関連してユーザインターフェース上に表示される視覚要素の改変を可能にしてもよい。そのような改変は、視覚要素と関連するテキスト要素の変更の形態を成してもよい。この点で、特定のワークフローに関する表示は、カスタマイズされたテキスト説明および／または標識を含有してもよい。
【００１２】
医療用流体送達システムはさらに、構築されているワークフローをユーザに提示するように動作可能である、ワークフロー実行論理を含んでもよい。ワークフロー実行論理は、医療用流体送達システムの機能性を開始してもよい。ワークフロー実行論理は、所定の順序で、適正な一部の複数の利用可能なワークフロー構成要素のうちの各ワークフロー構成要素を連続的に実行するように動作してもよい。医療用流体送達システムは、複数の記憶されたワークフローを含んでもよい。医療用流体送達システムは、複数の記憶されたワークフローからのワークフローの選択を可能にする、データ入力デバイスを含んでもよい。ワークフロー実行論理は、ワークフローの各ワークフロー構成要素について、表示上で少なくとも１つの出力を生成してもよい。ワークフロー実行論理は、ワークフローに従って表示上で一連の出力を生成してもよい。
【００１３】
ワークフロー実行論理は、ワークフローの実施を一時的に一時停止するように動作する、一時停止機能を含んでもよい。ワークフローが一時的に一時停止されている間に、医療用流体送達システムは、ワークフローの一部ではない機能を実施するように動作可能であってもよい。ワークフロー実行論理は、一時停止機能の完了後に再開するように動作可能であってもよい。
【００１４】
本発明の第２の側面は、医療用流体送達システムを操作する方法によって具現化される。方法は、複数の利用可能なワークフロー構成要素を含む、医療用流体送達システムを提供するステップと、ワークフロー内に含むために、複数の利用可能なワークフロー構成要素から適正な一部のワークフロー構成要素を選択するステップとを含む。
【００１５】
いくつかの特徴の改良および追加特徴が、本発明の第２の側面に適用可能である。これらの特徴の改良および追加特徴は、個別に、または任意の組み合わせで使用されてもよい。そのようなものとして、論議される以下の特徴のそれぞれは、任意の他の特徴または第２の側面の特徴の組み合わせとともに使用されてもよいが、そのように要求はされない。以下の論議は、本発明の第３の側面の論議の開始まで、第２の側面に適用可能である。
【００１６】
本側面の医療用流体送達システムを操作する方法はさらに、ワークフローを形成するように、適正な一部のうちのワークフロー構成要素を配設するステップをさらに含んでもよい。配設するステップは、ユーザ（例えば、管理者）によって、医療用流体送達システム（例えば、ワークフロー構築論理によって開始される）によって、またはユーザおよび医療用流体送達システムの組み合わせによって、実施されてもよい。配設するステップの少なくとも一部分がユーザによって実施される場合、配設するステップは、ワークフロー構成要素を表す表示上の図形要素をドラッグアンドドロップする等の、表示上の構成要素を移動させる任意の適切な方法を含んでもよい。医療用流体送達システムは、ワークフロー構成要素が、作成されているワークフロー内の別のワークフロー構成要素に対して不適切な位置にあることをユーザに示してもよい。医療用流体送達システムは、（例えば、選択および／または配設するステップの間に）相互排他的であるワークフロー内のワークフロー構成要素の包含を防止してもよい。ワークフロー構成要素の配設は、ワークフロー構成要素のそれぞれを表す視覚要素（例えば、アイコンおよび／またはテキストのブロック）を視覚的に表示するステップを伴ってもよい。相互排他的ワークフロー構成要素を表す視覚要素は、それらの関係を示すように、共通色、共通パターン、共通形状、および／または任意の他の適切な特色（または特色の組み合わせ）で表示されてもよい。
【００１７】
複数の視覚要素が、ユーザインターフェース上に表示されてもよい。複数の視覚要素のそれぞれは、複数の利用可能なワークフロー構成要素のうちの少なくとも１つのワークフロー構成要素を表してもよい。ワークフローのためのワークフロー構成要素の選択は、ユーザインターフェースの第１の部分からユーザインターフェースの第２の部分へ視覚要素のうちの１つを移動させるステップを含んでもよい。これは、視覚要素を選択し、医療用流体送達システムにユーザインターフェースの第２の部分へ要素を移動させることによって、またはユーザインターフェースの第２の部分へ要素をドラッグアンドドロップすることによって等、任意の適切な方法で達成されてもよい。ユーザインターフェースの第１の部分は、未選択のワークフロー構成要素を表す複数の視覚要素を含んでもよく、ユーザインターフェースの第２の部分は、選択されたワークフロー構成要素を表す複数の視覚要素を含んでもよい。
【００１８】
ある配設では、ワークフローのためのワークフロー構成要素の選択は、ワークフロー内に、調整可能パラメータを含むワークフロー構成要素を含むステップを含んでもよい。方法は、ワークフローのためのワークフロー構成要素の選択および／またはワークフローのための選択されたワークフロー構成要素の配設中に、調整可能パラメータの初期設定値および／または初期設定範囲を入力するステップをさらに含んでもよい。ワークフロー構成要素が選択され、配設された後に、ユーザが、（例えば、医療用流体送達システムからの医療用流体の注入または放出の一部として）調整可能パラメータの値を入力してもよい。
【００１９】
方法はさらに、ワークフロー構成要素が選択および／または配設されている際に、部分的に構築されたワークフローの表現を表示するステップを含んでもよい。方法はさらに、表示のテキスト要素をカスタマイズするステップを含んでもよい。テキスト要素は、適正な一部と関連するワークフロー構成要素および／または複数の利用可能なワークフロー構成要素等の、ワークフロー構成要素と関連するテキスト要素であってもよい。テキスト要素は、ワークフロー構成要素の実行中に表示される指図と関連してもよい。方法はさらに、ワークフローの生成を可能にするように、医療用流体送達システムにパスワードを提供するステップをさらに含んでもよい。ワークフローは、ワークフローの無認可および／または非意図的作成、改変、および／または削除の可能性が低減されてもよいように、パスワードで保護されてもよい。
【００２０】
方法は、患者に医療用流体を注入するために、医療用流体送達システムを準備するようにワークフローの少なくとも一部分を実施するステップを含んでもよい。この点で、ワークフローを実施するステップは、医療用流体送達システムの機能性を開始するステップを含んでもよい。ワークフローの一部分は、医療用流体送達システム上にシリンジを載置するステップに関するワークフロー構成要素を含んでもよい。ワークフローの少なくとも一部分は、医療用流体送達システムの複数部分から空気を排出するステップに関するワークフロー構成要素を含んでもよい。
【００２１】
ワークフローの実施された部分は、ユーザ（例えば、臨床医または医療技術者）に対する指図を表示するステップ、および／または、医療用流体送達システムによる、適正な一部のうちのワークフロー構成要素の少なくとも一部分の自動実施を含んでもよい。ワークフローの実施は、第１のワークフロー構成要素と関連する第１の表示（例えば、表示上の第１の出力）、および第２のワークフロー構成要素と関連する第２の表示（例えば、表示上の第２の出力）を連続的に表示するステップを含んでもよい。第１の表示は、第２のワークフロー構成要素に関する情報を表示しないように構成されてもよい。第２の表示は、第１のワークフロー構成要素に関する情報を表示しないように構成されてもよい。この点で、第１および第２の表示は、現在のワークフロー構成要素に関するユーザに情報を明確に伝達するように単純化されてもよい。方法はさらに、医療用流体送達システムから医療用流体を放出するステップをさらに含んでもよい。
【００２２】
医療用流体送達システムを操作する方法は、患者に医療用流体を注入するようにワークフローを実行するステップを含んでもよい。ワークフローの実行は、最初にプロトコルを選択するステップを含んでもよく、次いで、医療用流体送達システムは、選択されたプロトコルに基づいてワークフローを選択してもよい。代替として、ワークフローの実行は、最初にワークフローを選択し、実行するステップを含んでもよく、注入プロトコルの選択は、ワークフローの構成要素であってもよい。適正な一部のワークフロー構成要素の選択が、例えば、管理者によって実施されてもよい一方で、ワークフローの実行は、臨床医または医療技術者によって実施されてもよい。
【００２３】
適正な一部のワークフロー構成要素の選択は、適正な一部のうちのワークフロー構成要素に関する初期設定値を割り当てるステップを含んでもよい。そのような割当は、医療用流体送達システムのユーザによって実施されてもよい。後に、ワークフローの実行が、初期設定値を使用して実施されてもよい。医療用流体送達システムのユーザは、ワークフローを実行している間に初期設定値を無効にしてもよい。
【００２４】
適正な一部のワークフロー構成要素の選択は、適正な一部のうちのワークフロー構成要素に関する初期設定範囲を割り当てるステップを含んでもよい。そのような割当は、医療用流体送達システムのユーザによって実施されてもよい。後に、ワークフローの実行が、初期設定範囲を使用して実施されてもよい。医療用流体送達システムのユーザは、ワークフローを実行している間に、初期設定範囲を無効にし、初期設定範囲の外側の値を伴うワークフロー構成要素を実施してもよい。
【００２５】
ワークフローの実行は、適正な一部のワークフロー構成要素の各ワークフロー構成要素を連続的に実施するステップを含んでもよい。ワークフローの実行は、第１の表示上にユーザ（例えば、臨床医または医療技術者臨床医）に対する指図を提示するステップ、および／または、医療用流体送達システムによる、適正な一部のうちのワークフロー構成要素の少なくとも一部分の自動実施を含んでもよい。
【００２６】
作成されたワークフローの実行は、連続的に、第１のワークフロー構成要素と関連する第１の表示上に第１の出力を提示し、次いで、第２のワークフロー構成要素と関連する第２の表示上に第２の出力を提示するステップを含んでもよい。第２のワークフロー構成要素に関連する第２の出力の提示は、第１のワークフロー構成要素の完了後に自動的に発生してもよい。
【００２７】
方法はさらに、各ワークフロー構成要素の完了前にワークフローを終了するステップと、ワークフローから逸脱するタスクを医療用流体送達システムで実施するステップとを含んでもよい。方法はさらに、それが終了された時点でワークフローを再開するステップを含んでもよい。例えば、ワークフローの実行は、１つ以上の理由で一時停止されてもよく、その後、再開されてもよい。
【００２８】
医療用流体送達システムを操作する方法はさらに、ワークフロー構成要素が選択された後にワークフローを保存するステップを含んでもよい。方法はさらに、ワークフローが保存された後、および実行される前に、ワークフローを選択するステップを含んでもよい。例えば、管理者が、ワークフローに含まれるステップを選択し、ワークフローを保存してもよい。後に、臨床医が、ワークフローを実行してもよい。ワークフロー構成要素の選択は、複数の記憶されたワークフローからワークフローを選抜するステップを含んでもよい。そのような選択は、任意の適切な種類のデータ入力デバイスで実施されてもよい。ユーザ（例えば、管理者）は、ワークフローが保存された後、およびワークフローの実行が開始される前に、初期設定ワークフローとしてワークフローを指定してもよい。
【００２９】
本発明の第３の側面は、注入デバイスと、メモリユニットとを含む、医療用流体送達システムによって提供される。メモリユニットは、注入実行パラメータを含有する、少なくとも１つの注入プロトコルと、複数のワークフロー構成要素と、第１のワークフローとを含む。第１のワークフローは、第１の適正な一部の複数のワークフロー構成要素を含む。第１のワークフローは、記第１の適正な一部に含有されないワークフロー構成要素を含まない。
【００３０】
いくつかの特徴の改良および追加特徴が、本発明の第３の側面に適用可能である。これらの特徴の改良および追加特徴は、個別に、または任意の組み合わせで使用されてもよい。そのようなものとして、論議される以下の特徴のそれぞれは、任意の他の特徴または第３の側面の特徴の組み合わせとともに使用されてもよいが、そのように要求はされない。以下の段落は、第３の側面に適用可能である。
【００３１】
医療用流体送達システムはさらに、それぞれ注入実行パラメータを含有する、複数の注入プロトコルを含んでもよい。医療用流体送達システムはさらに、第２の適正な一部の複数のワークフロー構成要素を含む、第２のワークフローを含んでもよい。第２のワークフローは、第２の適正な一部に含有されないワークフロー構成要素を含まなくてもよい。第１の適正な一部は、第２の適正な一部とは異なってもよい。
【００３２】
本明細書で使用される場合「〜ように動作可能」という表現は、アイテムが特定タスクを実施すること、および／または特定結果を達成することが可能である関係を示す。本明細書で使用される場合「〜ように動作可能」の意味は、「〜ように適合される」および「〜ように構成される」等の同様の表現を包含することを目的とする。さらに、本明細書で使用される際に、アイテムが機能を実施する「ように動作可能」である場合は、アイテムが少なくともいくつかの状況でその機能を実施しないことも開示される。したがって、「〜ように動作可能」が使用される時はいつでも、アイテムと特定タスクおよび／または特定結果の達成との間の関係が開示される。したがって、アイテムがタスクを実施する「ように動作可能」である場合は、アイテムがそのタスクを実施する（例えば、アイテムがタスクを実施する「ように動作する」）ことも開示される。
【００３３】
本明細書で使用される場合「流体的に相互接続された」という用語は、その間の所定の流路で流体が（例えば、一方向に、または双方向に）流動できるような方式で、（直接または間接的に）接続されている２つ以上の構成要素または実体を指す。例えば、「患者に流体的に相互接続される注入デバイス」は、流体が、注入デバイスから任意の相互接続デバイス（例えば、管類、コネクタ）を介して患者の中へ（例えば、患者の血管系の中へ）流動することができる、構成を表す。
【００３４】
いくつかの特徴の改良および追加特徴が、本発明の上記の第１、第２、および第３の側面のそれぞれに、別々に適用可能である。これらの特徴の改良および追加特徴は、上記の第１、第２、および第３の側面のそれぞれに関して、個別に、または任意の組み合わせで使用されてもよい。「単数の」という文脈または同等物に限定されることを目的とする、本発明の任意の他の種々の側面の任意の特徴は、「唯一の」、「単一の」、「限定される」、または同等物等の用語によって、本明細書で明確に説明される。一般的に受け入れられている根拠の実践に従って特徴を導入するだけでは、対応する特徴を単数に限定しない（例えば、自動注入器が「１つのシリジンジ」を含むことを示すだけでは、自動注入器が単一のシリンジしか含まないことを意味しない）。また、「少なくとも１つの」等の語句を使用しないことも、対応する特徴を単数に限定しない（例えば、自動注入器が「１つのシリジンジ」を含むことを示すだけでは、自動注入器が単一のシリンジしか含まないことを意味しない）。最終的に、特定の特徴に関する「少なくとも概して」または同等物といった語句の使用は、対応する特性およびそのごくわずかな変化例を包含する（例えば、シリンジ筒が少なくとも概して円筒形であると示すことで、円筒形であるシリンジ筒を包含する）。
【００３５】
本発明の種々の側面のうちのいずれかによって利用されてもよい、任意の「論理」は、任意の適切なソフトウェア、ファームウェア、またはハードウェアで、１つ以上のプラットフォームを使用して、１つ以上のプロセッサを使用して、任意の適切な種類のメモリを使用して、任意の適切な種類の任意の単一のコンピュータ、または任意の適切な方式で相互接続された任意の適切な種類の複数のコンピュータを使用して、またはそれらの任意の組み合わせを無制限に含む、任意の適切な方式で実装されてもよい。この論理は、任意の単一の場所で、または任意の適切な方式で（例えば、任意の種類のネットワークを介して）相互接続される複数の場所で実装されてもよい。
【００３６】
流体放出を提供するために利用されてもよい、任意の自動注入器は、任意の適切なサイズ、形状、構成、および／または種類であってもよい。任意のそのような自動注入器は、任意の適切なサイズ、形状、構成、および／または種類の１つ以上のシリンジプランジャドライバを利用してもよく、その場合、それぞれのそのようなシリンジプランジャドライバは、少なくとも双方向運動（例えば、流体を放出するための第１の方向の運動、流体の搭載および／または引出に適応するため、および／または後続の流体放出動作のための位置に戻るための第２の方向の運動）が可能であり、それぞれのそのようなシリンジプランジャドライバは、（例えば、流体を放出するように）少なくとも１つの方向にシリンジプランジャを前進させることができるよう、任意の適切な方式で（例えば、機械的接触によって、（機械的または別様の）適切な連結によって）、その対応するシリンジプランジャと相互作用してもよい。各シリンジプランジャドライバは、任意の適切なサイズ、形状、構成、および／または種類の１つ以上の駆動源を利用してもよい。複数の駆動源出力が、所与の時に単一のシリンジプランジャを前進させるように任意の適切な方式で組み合わせられてもよい。１つ以上の駆動源が、単一のシリンジプランジャドライバ専用であってもよく、１つ以上の駆動源が、複数のシリンジプランジャドライバと関連してもよく（例えば、１つのシリンジプランジャから別のシリンジプランジャに出力を変更するように、ソートの伝送を組み込む）、またはそれらの組み合わせである。
【００３７】
代表的な駆動源の形態は、ブラシ付きまたはブラシレス電気モータ、油圧モータ、空気モータ、圧電モータ、またはステッピングモータを含む。
【００３８】
任意のそのような自動注入器は、任意の適切な医療用途（例えば、コンピュータ断層撮影法またはＣＴ撮像、磁気共鳴映像法またはＭＲＩ、単光子放射型コンピュータ断層撮影法またはＳＰＥＣＴ撮像、陽電子放射型コンピュータ断層撮影法ＰＥＴ撮像、Ｘ線撮像、血管造影法、光学撮像、超音波撮像）を無制限に含む、１つ以上の医療用流体の送達が所望される任意の適切な用途に使用されてもよい。任意のそのような自動注入器は、適切な撮像システム（例えば、ＣＴスキャナ）等の、任意の構成要素または構成要素の組み合わせと併せて使用されてもよい。例えば、任意のそのような自動注入器と１つ以上の他の構成要素との間で、情報を伝えることができる（例えば、スキャン遅延情報、注入開始信号、注入速度）。
【００３９】
任意の適切な数のシリンジが、任意の適切な方式で（例えば、着脱可能に、前方搭載式、後方搭載式、側面搭載式）、任意のそのような自動注入器とともに利用されてもよく、任意の適切な医療用流体が、任意のそのような自動注入器の所与のシリンジから放出されてもよく（例えば、造影剤、放射性医薬品、生理食塩水、およびそれらの任意の組み合わせ）、任意の適切な流体が、任意の適切な方式で（例えば、連続的に、同時に）多重シリンジ自動注入器構成から放出されてもよく、またはそれらの任意の組み合わせである。一実施形態では、自動注入器の動作によってシリンジから放出される流体は、導管（例えば、医療用管類セット）の中へ方向付けられ、その場合、この導管は、任意の適切な方式でシリンジと流体的に相互接続され、流体を所望の場所に（例えば、注入のために患者に挿入されるカテーテルに）方向付ける。複数のシリンジが、（例えば、単一の注入部位に提供するために）共通導管の中へ放出してもよく、または１つのシリンジが、（例えば、１つの注入部位に提供するために）１つの導管の中へ放出してもよい一方で、別のシリンジは、（例えば、異なる注入部位に提供するために）異なる導管の中へ放出してもよい。一実施形態では、各シリンジは、シリンジ筒と、シリンジ筒内に配置され、かつシリンジに対して移動可能であるプランジャとを含む。このプランジャは、シリンジプランジャ駆動アセンブリが、少なくとも１つの方向に、およびおそらくは２つの異なる反対方向に、プランジャを前進させることができるように、自動注入器のシリンジプランジャ駆動アセンブリと界面接触してもよい。
【図面の簡単な説明】
【００４０】
【図１】図１は、自動注入器の一実施形態の概略図である。
【図２Ａ】図２Ａは、携帯型でスタンド載置式の二重ヘッド自動注入器の一実施形態の斜視図である。
【図２Ｂ】図２Ｂは、図２Ａの自動注入器によって使用される、パワーヘッドの拡大部分分解斜視図である。
【図２Ｃ】図２Ｃは、図２Ａの自動注入器によって使用される、シリンジプランジャ駆動アセンブリの一実施形態の概略図である。
【図３Ａ】図３Ａは、医療用流体送達システムの一実施形態のブロック図である。
【図３Ｂ】図３Ｂは、医療用流体送達システムの一実施形態のブロック図である。
【図４Ａ】図４Ａは、ワークフローを構築する方法の一実施形態のフロー図である。
【図４Ｂ】図４Ｂは、医療用流体送達システムを操作する方法の一実施形態のフロー図である。
【図５】図５は、ワークフローの構築中の図３Ａの医療用流体送達システムのユーザインターフェース上の例示的表示の説明図である。
【図６】図６は、ワークフローの実行中の図３Ａの医療用流体送達システムのユーザインターフェース上の例示的表示の説明図である。
【発明を実施するための形態】
【００４１】
図１は、パワーヘッド１２を有する自動注入器１０の一実施形態の概略図を提示する。１つ以上のグラフィカルユーザインターフェースまたはＧＵＩ１１が、パワーヘッド１２と関連付けられてもよい。各ＧＵＩ１１は、（１）任意の適切なサイズ、形状、構成、および／または種類であってもよい、（２）任意の適切な方式でパワーヘッド１２と動作可能に相互接続されてもよい、（３）任意の適切な場所に配置されてもよい、（４）自動注入器１０の動作の１つ以上の側面を制御する、自動注入器１０の動作と関連する１つ以上のパラメータを入力／編集する、および（例えば、自動注入器１０の動作と関連する）適切な情報を表示するといった、機能のうちのいずれかを提供するように構成されてもよく、または（５）先述の内容の任意の組み合わせである。任意の適切な数のＧＵＩ１１が利用されてもよい。一実施形態では、自動注入器１０は、パワーヘッド１２とは別であるが、パワーヘッド１２と通信するコンソールによって組み込まれるＧＵＩ１１を含む。別の実施形態では、自動注入器１０は、パワーヘッド１２の一部であるＧＵＩ１１を含む。さらに他の実施形態では、自動注入器１０は、パワーヘッド１２と通信する別個のコンソール上で１つのＧＵＩ１１を利用し、また、パワーヘッド１２上にある別のＧＵＩ１１も利用する。各ＧＵＩ１１は、同じ機能性または一式の機能性を提供することができ、または、ＧＵＩ１１は、それぞれの機能性に関して、少なくともある点で異なってもよい。
【００４２】
シリンジ２８は、このパワーヘッド１２上に設置されてもよく、設置されると、自動注入器１０の一部と見なされてもよい。いくつかの注入手技は、シリンジ２８内で生成される比較的高い圧力をもたらしてもよい。この点で、圧力ジャケット２６内にシリンジ２８を配置することが望ましくてもよい。圧力ジャケット２６は、典型的には、パワーヘッド１２上にシリンジ２８を設置するステップの一部として、またはそのステップの後に、シリンジ２８がその中に配置されることを可能にする方式で、パワーヘッド１２と関連付けられる。同圧力ジャケット２６は、典型的には、種々のシリンジ２８が、複数の注入手技のために、圧力ジャケット２６内に位置付けられ、そこから除去される際に、パワーヘッド１２と関連付けられたままとなる。自動注入器１０が低圧注入のために構成／利用される場合、および／または、自動注入器１０とともに利用されるシリンジ２８が、圧力ジャケット２６によって提供される追加支持なしで、高圧注入に耐えるのに十分な耐久性である場合に、自動注入器１０は、圧力ジャケット２６を排除してもよい。いずれの場合でも、シリンジ２８から放出される流体は、任意の適切な方式でシリンジ２８と流体的に相互接続されてもよく、流体を任意の適切な場所に（例えば、患者に）方向付けてもよい、任意の適切なサイズ、形状、構成、および／または種類の導管３８の中へ方向付けられてもよい。
【００４３】
パワーヘッド１２は、シリンジ２８から流体を放出するようにシリンジ２８（例えば、そのプランジャ３２）と相互作用する（例えば、界面接触する）、シリンジプランジャ駆動アセンブリまたはシリンジプランジャドライバ１４を含む。このシリンジプランジャ駆動アセンブリ１４は、駆動出力１８（例えば、回転可能な駆動ネジ）に電力供給する、駆動源１６（例えば、任意の適切なサイズ、形状、構成、および／または種類のモータ、オプションの歯車装置、および同等物）を含む。ラム２０は、駆動出力１８によって、適切な経路（例えば軸方向）に沿って前進させられてもよい。ラム２０は、以下で論議される方式で、シリンジ２８の対応する部分と相互作用または界面接触するための連結器２２を含んでもよい。
【００４４】
シリンジ２８は、（例えば、双頭矢印Ｂと一致する軸に沿った軸方向の往復運動のために）シリンジ筒３０内で移動可能に配置される、プランジャまたはピストン３２を含む。プランジャ３２は、連結器３４を含んでもよい。このシリンジプランジャ連結器３４は、シリンジプランジャ駆動アセンブリ１４がシリンジ筒３０内でシリンジプランジャ３２を後退させることを可能にするように、ラム連結器２２と相互作用または界面接触してもよい。シリンジプランジャ連結器34は、ヘッドまたはボタン３６ｂとともにシリンジプランジャ３２の本体から延在する、軸３６ａの形態であってもよい。しかしながら、シリンジプランジャ連結器３４は、任意の適切なサイズ、形状、構成、および／または種類であってもよい。
【００４５】
概して、自動注入器１０のシリンジプランジャ駆動アセンブリ１４は、（例えば、対応するシリンジ２８から流体を放出するように）少なくとも１つの方向に（シリンジ筒３０に対して）シリンジプランジャ３２を移動または前進させることできるよう、任意の適切な方式で（例えば、機械的接触によって、（機械的または別様の）適切な連結によって）シリンジ２８のシリンジプランジャ３２と相互作用してもよい。つまり、シリンジプランジャ駆動アセンブリ１４は、（例えば、同駆動源１６の動作を介して）双方向運動が可能であってもよいが、自動注入器１０は、シリンジプランジャ駆動アセンブリ１４の動作が、実際には、自動注入器１０によって使用されている各シリンジプランジャ３２を１つの方向にしか移動させないように、構成されてもよい。しかしながら、シリンジプランジャ駆動アセンブリ１４は、２つの異なる方向のそれぞれに（例えば、共通軸方向経路に沿った異なる方向に）、それぞれのそのようなシリンジプランジャ３２を移動させることができるよう、自動注入器１０によって使用されている各シリンジプランジャ３２と相互作用するように構成されてもよい。
【００４６】
シリンジプランジャ３２の後退は、後続の注入または放出のために、シリンジ筒３０の中への流体の搭載に適応するために利用されてもよく、後続の注入または放出のために、または任意の他の適切な目的で、シリンジ筒３０の中へ流体を実際に引き込むために利用されてもよい。ある構成は、シリンジプランジャ駆動アセンブリ１４がシリンジプランジャ３２を後退させることができることを要求しなくてもよく、その場合、ラム連結器２２およびシリンジプランジャ連結器３４が所望されなくてもよい。この場合、シリンジプランジャ駆動アセンブリ１４は、（例えば、別の事前充填されたシリンジ２８が設置された後に）別の流体送達動作を実行する目的で後退させられてもよい。ラム連結器２２およびシリンジプランジャ連結器３４が利用される時でさえも、ラム２０がシリンジプランジャ３２を前進させて、シリンジ２８から流体を放出する（例えば、ラム２０が、単純にシリンジプランジャ連結器３４、またはシリンジプランジャ３２の近位端を直接「押し進め」てもよい）時に、これらの構成要素は連結されてもされなくてもよい。ラム連結器２２およびシリンジプランジャ連結器３４を連結状態または条件で配置するため、ラム連結器２２およびシリンジプランジャ連結器３４を非連結状態または条件で配置するため、または両方のために、任意の適切な寸法または寸法の組み合わせで、任意の単一の運動または運動の組み合わせが利用されてもよい。
【００４７】
シリンジ２８は、任意の適切な方式でパワーヘッド１２上に設置されてもよい。例えば、シリンジ２８は、パワーヘッド１２上に直接設置されるように構成することができる。図示された実施形態では、シリンジ２８とパワーヘッド１２との間に界面を提供するように、筐体２４がパワーヘッド１２上に適切に載置される。この筐体２４は、シリンジ２８の１つ以上の構成が設置されてもよい、アダプタの形態であってもよく、その場合、シリンジ２８の少なくとも１つの構成は、任意のそのようなアダプタを使用することなく、パワーヘッド１２上に直接設置することができる。筐体２４は、シリンジ２８の１つ以上の構成が設置されてもよい、面板の形態であってもよい。この場合、面板は、パワーヘッド１２上にシリンジ２８を設置するために要求されるようなものであってもよく、面板なしでシリンジ２８をパワーヘッド１２上に直接設置することはできない。圧力ジャケット２６が使用されている時は、シリンジ２８に関して本明細書で論議される種々の方式で、それがパワーヘッド１２上に設置されてもよく、次いで、シリンジ２８は、その後、圧力ジャケット２６の中に設置される。
【００４８】
筐体２４は、シリンジ２８を設置する時に、パワーヘッド１２上に載置され、パワーヘッド１２に対して固定位置にとどまってもよい。別の選択肢は、シリンジ２８の設置に適応するように、筐体２４およびパワーヘッド１２を移動可能に相互接続することである。例えば、筐体２４は、双頭矢印Ａを含有する平面内で移動して、ラム連結器２２とシリンジプランジャ連結器３４との間で、連結状態または条件および非連結状態または条件のうちの１つ以上を提供してもよい。
【００４９】
１つの特定の自動注入器構成が、図２Ａに図示され、参照数字４０によって識別され、少なくとも概して図１の自動注入器１０に従う。自動注入器４０は、携帯型スタンド４８上に載置されるパワーヘッド５０を含む。自動注入器４０用の一対のシリンジ８６ａ、８６ｂが、パワーヘッド５０上に載置される。流体が、自動注入器４０の動作中にシリンジ８６ａ、８６ｂから放出されてもよい。
【００５０】
携帯型スタンド４８は、任意の適切なサイズ、形状、構成、および／または種類であってもよい。スタンド４８を携帯型にするために、車輪、ローラ、キャスタ、または同等物が利用されてもよい。パワーヘッド５０は、携帯型スタンド４８に対して固定位置で維持することができる。しかしながら、少なくとも何らかの方式で、パワーヘッド５０の位置が携帯型スタンド４８に対して調整可能となることを可能にすることが望ましくてもよい。例えば、シリンジ８６ａ、８６ｂのうちの１つ以上の中へ流体を搭載する時に、携帯型スタンド４８に対して１つの位置でパワーヘッド５０を有すること、および注入手技の実施のために携帯型スタンド４８に対して異なる位置でパワーヘッド５０を有することが望ましくてもよい。この点で、パワーヘッド５０は、任意の適切な方式で（例えば、パワーヘッド５０が少なくともある可動域を通して枢動させられ、その後、所望の位置で維持されてもよいように）携帯型スタンド４８と移動可能に相互接続されてもよい。
【００５１】
パワーヘッド５０は、流体を提供するために任意の適切な方式で支持することができると理解されたい。例えば、携帯型構造上に載置される代わりに、パワーヘッド５０は、支持アセンブリと相互接続することができ、支持アセンブリは順に、適切な構造（例えば、天井、壁、床）に載置される。パワーヘッド５０用の任意の支持アセンブリが、（例えば、１つ以上の他の支持セクションに対して位置付け直されてもよい、１つ以上の支持セクションを有することによって）少なくとも何らかの点で位置調整可能であってもよく、または、固定位置で維持されてもよい。また、パワーヘッド５０は、固定位置で維持されるよう、または支持アセンブリに対して調整可能となるよう、任意のそのような支持アセンブリと一体化してもよい。
【００５２】
パワーヘッド５０は、グラフィカルユーザインターフェースまたはＧＵＩ５２を含む。このＧＵＩ５２は、自動注入器４０の動作の１つ以上の側面を制御する、自動注入器４０の動作と関連する１つ以上のパラメータを入力／編集する、および（例えば、自動注入器４０の動作と関連する）適切な情報を表示する機能のうちの１つ、または任意の組み合わせを提供するように構成されてもよい。自動注入器４０はまた、それぞれ任意の適切な方式で（例えば、１つ以上のケーブルを介して）パワーヘッド５０と通信してもよい、検査室の中または任意の他の適切な場所でテーブル上に配置されるか、または電子機器ラック上に載置されてもよい、または両方であってもよい、コンソール４２および電力パック４６を含んでもよい。電力パック４６は、注入器４０用の電力供給部、コンソール４２とパワーヘッド５０との間の通信を提供するためのインターフェース回路、遠隔コンソール、遠隔手動または足踏み制御スイッチ、または他の相手先ブランド製造業者（ＯＥＭ）の遠隔制御接続（例えば、自動注入器４０の動作が撮像システムのＸ線被曝と同期化されることを可能にする）等の遠隔ユニットへの自動注入器４０の接続を可能にするための回路、および任意の他の適切な構成要素のうちの１つ以上を、任意の適切な組み合わせで含んでもよい。コンソール４２は、タッチスクリーンディスプレイ４４を含んでもよく、それは順に、操作者が自動注入器４０の動作の１つ以上の側面を遠隔制御することを可能にする、操作者が自動注入器４０の動作と関連する１つ以上のパラメータを入力／編集することを可能にする、操作者が自動注入器４０の自動化動作のためのプログラムを特定し、記憶することを可能にする（後に、操作者による開始時に自動注入器４０によって自動的に実行することができる）、および自動注入器４０の動作と関連し、その動作の任意の側面を含む、任意の適切な情報を表示する機能のうちの１つ以上を、任意の適切な組み合わせで提供してもよい。
【００５３】
パワーヘッド50とのシリンジ８６ａ、８６ｂの統合に関する種々の詳細を図２Ｂに提示する。シリンジ８６ａ、８６ｂのそれぞれは、同じ一般的構成を含む。シリンジ８６ａは、シリンジ筒８８ａ内で可動性に配置される、プランジャまたはピストン９０ａを含む。パワーヘッド５０の動作を介した、軸１００ａ（図２Ａ）に沿ったプランジャ９０ａの運動は、シリンジ８６ａのノズル８９ａを通してシリンジ筒８８ａ内から流体を放出する。適切な導管（図示せず）が、典型的には、流体を所望の場所（例えば、患者）に方向付けるように、任意の適切な方式でノズル８９ａと流体的に相互接続される。同様に、シリンジ８６ｂは、シリンジ筒８８ｂ内で移動可能に配置される、プランジャまたはピストン９０ｂを含む。パワーヘッド５０の動作を介した、軸１００ｂ（図２Ａ）に沿ったプランジャ９０ｂの運動は、シリンジ８６ｂのノズル８９ｂを通してシリンジ筒８８ｂ内から流体を放出する。適切な導管（図示せず）が、典型的には、流体を所望の場所（例えば、患者）に方向付けるように、任意の適切な方式でノズル８９ｂと流体的に相互接続される。
【００５４】
シリンジ86ａは、中間面板１０２ａを介してパワーヘッド５０と相互接続される。この面板１０２ａは、シリンジ筒８８ａの少なくとも一部を支持し、任意の追加機能性または機能性の組み合わせを提供／適応してもよい、クレードル１０４を含む。台８２ａが、面板１０２ａと界面接触するために、パワーヘッド５０上に配置され、パワーヘッド５０に対して固定される。シリンジ８６ａに対するシリンジプランジャドライバアセンブリまたはシリンジプランジャドライバ５６（図２Ｃ）の各部分である、ラム７４（図２Ｃ）のラム連結器７６は、パワーヘッド５０上に載置されると、面板１０２ａに近接して位置付けられる。シリンジプランジャ駆動アセンブリ５６に関する詳細を、図２Ｃに関して以下でより詳細に論議する。概して、ラム連結器７６は、シリンジ８６ａのシリンジプランジャ９０ａと連結されてもよく、次いで、ラム連結器７６およびラム７４（図２Ｃ）は、軸１００ａ（図２Ａ）に沿ってシリンジプランジャ９０ａを移動させるように、パワーヘッド５０に対して移動させられてもよい。それは、シリンジプランジャ９０ａを移動させ、シリンジ８６ａのノズル８９ａを通して流体を放出する時に、ラム連結器７６がシリンジプランジャ９０ａと係合されるが、実際には連結されないようなものであってもよい。
【００５５】
面板１０２ａは、パワーヘッド５０上に面板１０２ａを載置するとともに、パワーヘッド５０上の台８２ａから面板１０２ａを除去するように、（それぞれ、シリンジプランジャ９０ａ、９０ｂの運動と関連し、図２Ａに図示される）軸１００ａ、１００ｂに対して直角である平面の少なくとも概して内側で移動させられてもよい。面板１０２ａは、シリンジプランジャ９０ａを、パワーヘッド５０上の対応するラム連結器７６と連結するために使用されてもよい。この点で、面板１０２ａは、一対のハンドル１０６ａを含む。概して、シリンジ８６ａが最初に面板１０２ａ内に位置付けられると、ハンドル１０６ａは順に、（それぞれ、シリンジプランジャ９０ａ、９０ｂの運動と関連し、図２Ａに図示される）軸１００ａ、１００ｂに対して直角である平面の少なくとも概して内側でシリンジ８６ａを移動／平行移動させるように、移動させられてもよい。ハンドル１０６ａを１つの位置に移動させることにより、少なくとも概して下向きの方向に（面板１０２ａに対して）シリンジ８６ａを移動／平行移動させて、シリンジプランジャ９０ａを、その対応するラム連結器７６と連結する。ハンドル１０６ａを別の位置に移動させることにより、少なくとも概して上向きの方向に（面板１０２ａに対して）シリンジ８６ａを移動／平行移動させて、シリンジプランジャ９０ａを、その対応するラム連結器７６から分断する。
【００５６】
シリンジ８６ｂは、中間面板１０２ｂを介してパワーヘッド５０と相互接続される。台８２ｂが、面板１０２ｂと界面接触するために、パワーヘッド５０上に配置され、パワーヘッド５０に対して固定される。シリンジ８６ｂに対するシリンジプランジャ駆動アセンブリ５６の各部分である、ラム７４（図２Ｃ）のラム連結器７６は、パワーヘッド５０に載置されると、面板１０２ｂに近接して位置付けられる。シリンジプランジャ駆動アセンブリ５６に関する詳細を、再度、図２Ｃに関して以下でより詳細に論議する。概して、ラム連結器７６は、シリンジ８６ｂのシリンジプランジャ９０ｂと連結されてもよく、次いで、ラム連結器７６およびラム７４（図２Ｃ）は、軸１００ｂ（図２Ａ）に沿ってシリンジプランジャ９０ｂを移動させるように、パワーヘッド５０に対して移動させられてもよい。それは、シリンジプランジャ９０ｂを移動させ、シリンジ８６ｂのノズル８９ｂを通して流体を放出する時に、ラム連結器７６がシリンジプランジャ９０ｂと係合されるが、実際には連結されないようなものであってもよい。
【００５７】
面板1０２ｂは、パワーヘッド５０上に面板１０２ｂを載置するとともに、パワーヘッド５０上の台８２ｂから面板１０２ｂを除去するように、（それぞれ、シリンジプランジャ９０ａ、９０ｂの運動と関連し、図２Ａに図示される）軸１００ａ、１００ｂに対して直角である平面の少なくとも概して内側で動かされてもよい。面板１０２ｂはまた、シリンジプランジャ９０ｂを、パワーヘッド５０上の対応するラム連結器７６と連結するために使用されてもよい。この点で、面板１０２ｂは、ハンドル１０６ｂを含んでもよい。概して、シリンジ８６ｂが最初に面板１０２ｂ内に位置付けられると、シリンジ８６ｂは、その長軸１００ｂ（図２Ａ）に沿って、面板１０２ｂに対して回転させられてもよい。この回転は、ハンドル１０６ｂを動かすことによって、シリンジ８６ｂを把持して旋回させることによって、または両方によって実現されてもよい。いずれの場合でも、この回転は、（それぞれ、シリンジプランジャ９０ａ、９０ｂの運動と関連し、図２Ａに図示される）軸１００ａ、１００ｂに対して直角である平面の少なくとも概して内側で、シリンジ８６ｂおよび面板１０２ｂの両方を移動／平行移動させる。シリンジ８６ｂを１つの方向に回転させることにより、少なくとも概して下向きの方向にシリンジ８６ｂおよび面板１０２ｂを移動／平行移動させて、シリンジプランジャ９０ｂを、その対応するラム連結器７６と連結する。シリンジ８６ｂを反対方向に回転させることにより、少なくとも概して上向きの方向にシリンジ８６ｂおよび面板１０２ｂを移動／平行移動させて、シリンジプランジャ９０ｂを、その対応するラム連結器７６から分断する。
【００５８】
図２Ｂに図示されるように、シリンジプランジャ９０ｂは、プランジャ本体９２と、シリンジプランジャ連結器９４とを含む。このシリンジプランジャ連結器９４は、プランジャ本体９２から離間したヘッド９６とともに、プランジャ本体９２から延在するシャフト９８を含む。ラム連結器７６のそれぞれは、ラム連結器７６の面の上のより小型のスロットの後に位置付けられる、より大型のスロットを含む。シリンジプランジャ連結器９４のヘッド９６は、ラム連結器７６のより大型のスロット内に位置付けられてもよく、シリンジプランジャ連結器９４のシャフト９８は、シリンジプランジャ９０ｂおよびその対応するラム連結器７６が連結状態または条件である時に、ラム連結器７６の面の上のより小型のスロットを通って延在してもよい。シリンジプランジャ９０ａは、その対応するラム連結器７６と界面接触するために、同様のシリンジプランジャ連結器９４を含んでもよい。
【００５９】
パワーヘッド５０は、自動注入器４０の場合では、シリンジ８６ａ、８６ｂから流体を放出するために利用される。つまり、パワーヘッド５０は、シリンジ８６ａ、８６ｂのそれぞれから流体を放出する原動力を提供する。シリンジプランジャ駆動アセンブリまたはシリンジプランジャドライバとして特徴付けられてもよいものの一実施形態が、図２Ｃに図示され、参照数字５６によって識別され、シリンジ８６ａ、８６ｂのそれぞれから流体を放出するために、パワーヘッド５０によって利用されてもよい。別個のシリンジプランジャ駆動アセンブリ５６が、シリンジ８６ａ、８６ｂのそれぞれに対するパワーヘッド５０に組み込まれてもよい。この点で、図２Ａ〜Ｂを再度参照すると、パワーヘッド５０は、シリンジプランジャ駆動アセンブリ５６のそれぞれを別々に制御する際に使用するための手動ノブ８０ａおよび８０ｂを含んでもよい。
【００６０】
最初に、図２Ｃのシリンジプランジャ駆動アセンブリ５６に関して、その個々の構成要素のそれぞれは、任意の適切なサイズ、形状、構成、および／または種類であってもよい。シリンジプランジャ駆動アセンブリ５６は、出力シャフト６０を有するモータ５８を含む。駆動歯車６２が、モータ５８の出力シャフト６０上に載置され、それとともに回転する。駆動歯車６２は、被駆動歯車６４と係合されるか、または少なくとも係合可能である。この被駆動歯車６４は、駆動ネジまたはシャフト６８上に載置され、それとともに回転する。周囲で駆動ネジ６６が回転する軸は、参照数字６８によって識別される。１つ以上の軸受７２が、駆動ネジ６６を適切に支持する。
【００６１】
台車またはラム７４が、駆動ネジ６６上に移動可能に載置される。概して、１つの方向への駆動ネジ６６の回転が、対応するシリンジ８６ａ／ｂの方向へ駆動ネジ６６に沿って（それにより、軸６８に沿って）ラム７４を軸方向に前進させる一方で、反対方向への駆動ネジ６６の回転は、対応するシリンジ８６ａ／ｂから離れて駆動ネジ６６に沿って（それにより、軸６８に沿って）ラム７４を軸方向に前進させる。この点で、駆動ネジ６６の少なくとも一部の周囲は、ラム７４の少なくとも一部と界面接触するらせんネジ山７０を含む。ラム７４はまた、駆動ネジ６６の回転中にラム７４が回転することを可能にしない、適切なブッシング７８内で移動可能に載置される。したがって、駆動ネジ６６の回転は、駆動ネジ６６の回転方向によって判定される方向で、ラム７４の軸方向移動を提供する。
【００６２】
ラム７４は、対応するシリンジ８６ａ／ｂのシリンジプランジャ９０ａ／ｂのシリンジプランジャ連結器９４と着脱可能に連結されてもよい、連結器７６を含む。ラム連結器７６およびシリンジプランジャ連結器９４が適切に連結されると、シリンジプランジャ９０ａ／ｂは、ラム７４とともに移動する。図２Ｃは、シリンジ８６ａ／ｂが、ラム７４に連結されることなく、その対応する軸１００ａ／ｂとともに移動させられてもよい、構成を図示する。そのシリンジプランジャ９０ａ／ｂのヘッド９６がラム連結器７６と整合させられるが、軸６８が依然として図２のオフセット構成にある状態で、それに沿ってラム７４が移動する軸６８に対して直角である平面内で、シリンジ８６ａ／ｂが平行移動させられてもよいように、シリンジ８６ａ／ｂは、その対応する軸１００ａ／ｂとともに移動させられる。
【００６３】
このことは、上記の方式でラム連結器７６とシリンジプランジャ連結器９６との間で連結係合を確立する。
【００６４】
図１および２Ａ〜Ｃの自動注入器１０、４０はそれぞれ、流体が対象（例えば、患者）に注入される医療用画像用途を無制限に含む、任意の適切な用途に使用されてもよい。自動注入器１０、４０の代表的な医療用画像用途は、コンピュータ断層撮影法またはＣＴ撮像、磁気共鳴映像法またはＭＲＩ、単光子放射型コンピュータ断層撮影法またはＳＰＥＣＴ撮像、陽電子放射型コンピュータ断層撮影法ＰＥＴ撮像、Ｘ線撮像、血管造影法、光学撮像、超音波撮像を無制限に含む。自動注入器１０、４０はそれぞれ、単独で、または１つ以上の他の構成要素と組み合わせて使用することができる。自動注入器１０、４０はそれぞれ、例えば、情報が自動注入器１０、４０と１つ以上の他の構成要素との間で伝えられてもよいように（例えば、スキャン遅延情報、注入開始信号、注入速度）、１つ以上の構成要素と動作可能に相互接続されてもよい。
【００６５】
単一ヘッド構成（単一のシリンジ用）および二重ヘッド構成（２つのシリンジ用）を無制限に含む、任意の数のシリンジが、自動注入器１０、４０のそれぞれによって利用されてもよい。多重シリンジ構成の場合は、各自動注入器１０、４０は、任意の好適な方式で、任意のタイミングシーケンスに従って、種々のシリンジから流体を放出してもよい（例えば、２つ以上のシリンジからの連続放出、２つ以上のシリンジからの同時放出、またはそれらの任意の組み合わせ）。複数のシリンジが、（例えば、単一の注入部位に提供するために）共通導管の中へ放出してもよく、または１つのシリンジが、（例えば、１つの注入部位に提供するために）１つの導管の中へ放出してもよい一方で、別のシリンジは、（例えば、異なる注入部位に提供するために）異なる導管の中へ放出してもよい。自動注入器１０、４０のそれぞれによって利用される、それぞれのそのようなシリンジは、任意の適切な流体（例えば、医療用流体）、例えば、造影剤、放射性医薬品、生理食塩水、およびそれらの任意の組み合わせを含んでもよい。自動注入器１０、４０のそれぞれによって利用される、それぞれのそのようなシリンジは、任意の適切な方式で設置されてもよい（例えば、後方搭載構成が利用されてもよい、前方搭載構成が利用されてもよい、側面搭載構成が利用されてもよい）。
【００６６】
図３Ａは、ワークフロー構築論理３０４と、ワークフロー実行論理３０５と、プロセッサ３０９とを含む、医療用流体送達システム３００のブロック図である。プロセッサ３０９は、とりわけ、ワークフロー構築論理３０４およびワークフロー実行論理３０５を実行するように動作可能であってもよい。概して、図３Ａは、ワークフロー利用および管理に関する構成要素を図示する。したがって、医療用流体送達システム３００は、図３Ａに図示されていない、種々の他の構成要素を含んでもよい。プロセッサ３０９は、医療用流体送達システム３００内で、任意の適切な場所に位置するか、または任意の適切な場所の間に分布してもよい。医療用流体送達システム３００は、単一のワークフロー（ワークフロー３０７ａ等）または複数のワークフロー３０７（例えば、ワークフロー３０７ａから３０７ｎ、ｎは任意の適切な番号である）を含んでもよい。本明細書で使用される場合「ワークフロー」は、実行されると、医療用流体送達システム３００を使用して手順を完了するために使用することができる、所定の順番で配設される一式のワークフロー構成要素である。そのような手順は、例えば、医療用流体送達システム３００を設定し、次いで、撮像手技と併せて、医療用流体送達システム３００で患者に医療用流体（例えば、造影剤および／または生理食塩水）を注入するステップを含んでもよい。
【００６７】
「ワークフロー構成要素」は、医療用流体送達システム３００の使用と関連して実施されてもよい、別個のタスクまたは一式のタスクである。医療用流体送達システム３００は、複数のワークフロー構成要素３０６（例えば、ワークフロー構成要素３０６ａから３０６ｎ、ｎは任意の適切な番号である）を含んでもよい。この点で、複数のワークフロー構成要素３０６は、ワークフローを構築する際に使用するための、一式の利用可能なステップまたは手順構成単位であると見なされてもよい。例えば、ワークフロー構成要素３０６ａは、注入デバイス３０１上に事前充填されたシリンジを搭載または載置する指図を含んでもよい（以下で論議される図６も参照）。別の実施例では、ワークフロー構成要素３０６ａは、開通性チェックの実施に関する一式の指図を含んでもよい。ワークフロー構成要素は、ワークフローの実施中にユーザによって実施される、タスクまたは一式のタスク（例えば、シリンジを搭載する、管類を接続する、患者情報を検証する）であってもよい。本明細書で使用されるような「ユーザ」という用語は、医療用流体送達システム３００の構成および／または医療用流体送達システム３００を使用した医療用流体の管理と関連する、管理者、臨床医、医師、または任意の他の適切な個人であってもよい。ワークフロー構成要素は、ワークフローの実施中に医療用流体送達システム３００によって実施される、タスクまたは一式のタスク（例えば、空気を排出する、患者に医療用流体を注入する）であってもよい。ワークフロー構成要素は、ユーザおよび医療用流体送達システム３００の組み合わせによって実施される、タスクまたは一式のタスクであってもよい。ワークフロー構成要素と関連付けられてもよいタスクの実施例は、シリンジ種類の選択、シリンジ数量の選択、注入プロトコルの選択、シリンジの搭載、シリンジの再搭載、シリンジの充填、管類セットの接続および浄化、開通性チェック、試験注入、主要注入、結果表示、結果印刷、ならびに管類およびシリンジの除去を含む。ワークフローによって様々であってもよいアイテムの実施例は、シリンジ種類（事前充填または空の使い捨て）、生理食塩水の使用（生理食塩水が使用される場合、二重ヘッド注入デバイスの両方のヘッドが使用されてもよい）、開通性チェックが実施されるか否か、試験注入が実施されるか否か、結果を表示するか否か、どこにどうやって結果を表示するか、結果を印刷するか否か、ならびに、管類およびシリンジの除去の順番を含む。
【００６８】
概して、ワークフロー構築論理３０４は、ワークフロー３０７ａ等のワークフローを構築するために使用されてもよい。いったん特定の手順のためのワークフロー３０７ａが構築される（例えば、作成される、設計される）と、保存され、取り出されてもよい。次いで、ワークフロー実行論理３０５が、ワークフロー３０７ａを実行するために使用されてもよい。この点で、ワークフロー実行論理３０５は、医療用流体送達システム３００の機能性を開始してもよい。いったんワークフロー実行論理３０５がワークフロー３０７ａを実行すると、医療用流体送達システム３００は、ワークフロー３０７ａに従って、（例えば、ユーザインターフェース３０２を通して）各ワークフロー構成要素をユーザに連続的に提示してもよい。各ワークフロー構成要素は、ワークフロー構成要素に関する特定のタスクまたは一式のタスクを完了するのにユーザを支援するように、簡易出力（例えば、ユーザインターフェース３０２上の表示または出力)を含んでもよい。各ワークフロー構成要素の完了後、ワークフロー実行論理３０５は、自動的に次のワークフロー構成要素に進み、そのワークフロー構成要素の実施を通してユーザを誘導してもよい。この点で、ユーザインターフェース３０２は、典型的には、従来技術の自動注入器と関連する複雑性に対して、低減した複雑性をユーザに提示してもよい。所定の順番でワークフロー３０７ａの個々のワークフロー構成要素を提示することによって、ワークフロー３０７ａからの潜在的な逸脱が低減される。さらに、簡易ユーザインターフェース３０２および所定のワークフロー構成要素順序により、ユーザに対する訓練要件が低減されてもよい。
【００６９】
医療用流体送達システム３００は、単一のプロトコル（プロトコル３０８ａ等）または複数のプロトコル３０８（例えば、プロトコル３０８ａからプロトコル３０８ｎ、ｎは任意の適切な番号である）を含んでもよい。複数のワークフロー３０７のうちの１つのワークフローは、単一のプロトコル（プロトコル３０８ａ等）または複数のプロトコル３０８のうちの２つ以上のプロトコルを含んでもよく、および／または、それと関連付けられてもよい。例えば、ワークフロー３０７ａは、患者に医療用流体を注入する時に注入デバイス３０１が従う一式の指図から成る、注入プロトコル３０８ａを含んでもよい。注入プロトコル３０８ａは、例えば、患者に医療用流体を注入している間に種々の時点で達成される、標的流圧および／または標的流速を含んでもよい。別の配設では、ワークフロー３０７ａは、プロトコルが複数のプロトコル３０８から選択される、プロトコル選択ワークフロー構成要素５０７（図５参照）を含んでもよい。
【００７０】
ワークフロー構築論理３０４、ワークフロー実行論理３０５、複数のワークフロー構成要素３０６、複数のワークフロー３０７、および複数のプロトコル３０８は、医療用流体送達システム３００のメモリ３０３内に記憶されてもよい。メモリユニット３０３は、単一のデバイス（例えば、医療用流体送達システム３００内に位置するハードドライブ）であってもよく、または、複数の場所に位置する、いくつかの独立したデバイスから成ってもよい。例えば、複数のプロトコル３０８が、注入デバイス３０１内に配置されるＲＡＭ（ランダムアクセスメモリ）モジュールに記憶されてもよい一方で、複数のワークフロー構成要素３０６は、遠隔で記憶され、ネットワーク接続を介して注入デバイス３０１にとってアクセス可能であってもよい。
【００７１】
注入デバイス３０１は、図２Ａおよび２Ｂに関して上記で論議されるパワーヘッド５０の形態であってもよい。医療用流体送達システム３００はさらに、ユーザインターフェース３０２を含んでもよい。ユーザインターフェース３０２は、ユーザから入力を受信するように、およびユーザに対する出力を表示するように動作可能である、１つ以上の構成要素の形態であってもよい。例えば、ユーザインターフェース３０２は、パワーヘッド５０上のＧＵＩ５２の形態であってもよい。ユーザインターフェース３０２は、入力を受け取り、出力を生成するための任意の適切な１つまたは複数のデバイスの形態であってもよい。ユーザインターフェース３０２は、例えば、ユーザから触覚入力を受信し、出力を表示するように動作可能である、タッチスクリーンの形態であってもよい。別の実施例では、ユーザインターフェース３０２は、キーボードまたはモニタの形態であってもよい。
【００７２】
概して、ワークフロー構築論理３０４は、複数のワークフロー構成要素３０６からワークフロー３０７ａ等のワークフローを構築するために、管理者によって使用されてもよい。「管理者」は、特定の実体によって医療用流体送達システム３００で医療用流体を投与している間に従う手順およびステップを特定することに関与する、任意の適切な個人またはグループであってもよい。組み立てられたワークフロー３０７ａは、メモリ３０３に記憶されてもよい。複数のワークフロー３０７の他のワークフローも、複数のワークフロー構成要素３０６から構築されてもよい。複数のワークフロー３０７の各ワークフローは、複数のワークフロー構成要素３０６からの適正な一部のワークフロー構成要素を含んでもよい。本明細書で使用される場合第２組とは、第２組の中の全要素が第１組の中にあり、第１組が、第２組に含まれない、いくつかの要素を有する場合、「適正な一部」の第１組である。したがって、本明細書で使用される場合適正な一部のワークフロー構成要素は、複数のワークフロー構成要素３０６のうちの全てのワークフロー構成要素が適正な一部に含まれるわけではない、一部の複数のワークフロー構成要素３０６である。ワークフロー３０７ａは、医療用流体の投与に関与する施設または実体の診療に従って構築されてもよい。例えば、特定の病院が、診療に準拠するようにワークフロー３０７ａを構築してもよい。
【００７３】
ワークフロー３０７ａ等のワークフローは、構築され、メモリ３０３に記憶された後に、ワークフロー３０７ａを選択し、ワークフロー実行論理３０５を作動してワークフロー３０７ａを実行することによって、ユーザによってアクセスされてもよい。ワークフロー実行論理３０５は、（例えば、図４Ａから６に関して以下で論議されるように）医療用流体送達システム３００を設定する、および／または患者に医療用流体を注入する過程を通してユーザを誘導するように、ワークフロー３０７ａ内に含まれるワークフロー構成要素を通して進めてもよい。
【００７４】
図３Ｂは、図３Ａの医療用流体送達システム３００を特徴付ける代替的方法である。図３Ｂの特徴付けでは、医療用流体送達システム３５０は、自動注入器制御論理３５２に入力を提供してもよい、データ入力デバイス３５１を含む。データ入力デバイス３５１は、タッチスクリーン、キーパッド、またはデータを入力するための任意の適切なデバイスであってもよい。自動注入器制御論理３５２は、データ入力デバイス３５１からデータ入力を受信するステップ、およびユーザに出力を提供するステップ（例えば、データ入力デバイス３５１がタッチスクリーンである場合はデータ入力デバイス３５１を通して、またはデータ出力デバイス３５７を通して）を含む、医療用流体送達システム３５０に対する高レベル機能性を提供してもよい。管理者は、ワークフロー構築論理３０４を開始するために自動注入器制御論理３５２を私用してもよく、ワークフロー構築論理３０４は順に、ワークフロー３０７ａ等のワークフローを生成するために使用されてもよい。次いで、ワークフロー３０７ａは、任意の他の記憶されたワークフロー３０７とともに記憶されてもよい。医療用流体送達システム３５０が患者に医療用流体を注入するために使用される時、ユーザは、記憶されたワークフロー３０７のうちの１つにアクセスし、ワークフロー実行論理３０５を使用してワークフローを実行してもよい。
【００７５】
ワークフローは、複数の記憶された注入プロトコル３５４から、１つの記憶された注入プロトコルを選択し、実行するために使用されてもよい、注入プロトコル設定論理３５３を実行するステップを含んでもよい。医療用流体送達システム３５０はまた、開通性チェックプロトコル３５６から、１つの記憶された開通性チェックプロトコルを選択し、実行するために使用されてもよい、開通性チェック設定論理３５５を含んでもよい。
【００７６】
図４Ａは、ワークフローを構築する方法の一実施形態のフロー図４００である。第１のステップ４０１は、図３Ａに関して説明される医療用流体送達システム３００等の医療用流体送達システムを提供することであってもよい。次のステップ４０２は、ワークフロー構成要素を表す視覚要素を表示することであってもよい。図５は、ワークフローの構築中に図３Ａの医療用流体送達システム３００のユーザインターフェース３０２上に表示されてもよい、例示的なワークフロー構築表示５００の説明図である。視覚要素が、ワークフロー構成要素領域５０３の中でワークフロー構成要素として表示されてもよい。図５では、空シリンジ充填ワークフロー構成要素５０４、多重投与システム補充ワークフロー構成要素５０５、試験注入ワークフロー構成要素５０６といった、ワークフロー構成要素を表す３つの視覚要素が図示されている。そのような視覚要素は、それらが対応するワークフロー構成要素を表す視覚要素であることを記載する代わりに、本明細書ではワークフロー構成要素と呼ばれてもよい。他の実装では、より多く、またはより少ないワークフロー構成要素が、ワークフロー構成要素領域５０３中に表示されてもよい。また、特定のワークフロー構成要素の選択が、他のワークフロー構成要素をワークフロー構成要素領域５０３中に表示させなくてもよいという点で、ワークフロー構成要素領域５０３中に表示されるワークフロー構成要素は、状況依存型であってもよい。例えば、図５ａでは、「事前充填の搭載」５０８ワークフロー構成要素が、ワークフロー構築領域５０１（以下で論議される）中で選択されたワークフローとして含まれている。したがって、「事前充填の搭載」５０８ワークフロー構成要素がワークフロー構築領域５０１の中にある間は、空のシリンジの充填と関連し、医療用流体源としてバルク流体容器を使用する注入過程だけに限定されている、ワークフロー構成要素が表示されなくてもよい。
【００７７】
続けて図４Ａおよび５をまとめて参照すると、ワークフロー構成要素を表す視覚要素の表示後に、次のステップ４０３は、構築中のワークフローを含むために、表示された視覚要素のうちの１つ以上を選択することであってもよい。表示された視覚要素を選択するステップは、例えば、選択される視覚要素に対応するタッチスクリーンの領域に触れるステップ、表示上の視覚要素に対応する表示の周辺に沿ったボタンを押すステップ、および／または視覚要素をクリックするためにマウスを使用するステップを含む、任意の適切な形態を成してもよい。いったん視覚要素が選択されると、次のステップ４０４は、視覚要素をワークフロー構築領域５０１に移動させることであってもよい。視覚要素を移動させるステップは、例えば、ワークフロー構築表示５００を横断してマウスポインタまたは指を摺動する等の、公知のアイコン操作技法を使用して、視覚要素をドラッグアンドドロップする形態を成してもよい。ユーザは、ワークフロー構築領域５０１内に位置する他のワークフロー構成要素に対して所望の位置に視覚要素を配置するために、そのような移動を使用してもよい。代替として、ステップ４０３で視覚要素を選択することによって、ワークフロー構築論理３０４は、ワークフロー構築論理３０４によって適切と判定される場所で、選択された視覚要素をワークフロー構築領域５０１の中へ自動的に移動させてもよい。次いで、ユーザが視覚要素を位置付け直してもよい。
【００７８】
ユーザがワークフロー構築領域５０１の中にワークフロー構成要素を位置付けると、結果として生じるワークフローまたはその一部分が安全であり、臨床的に適切であるように、ワークフロー構築論理３０４は、ワークフロー構成要素が構築されているワークフローにとって適切であるか否か、およびワークフロー構成要素が適切な位置にあるか否かについて判定を行ってもよい。ワークフロー構成要素が安全でなく臨床的に適切ではないワークフローをもたらすという決定、またはワークフロー構成要素が不適切な位置にあるという決定をワークフロー構築論理３０４が行った場合、ワークフロー構築論理３０４は、ワークフロー構築領域５０１の中の視覚要素の包含を防止するステップ４０６を取ってもよい。そのような防止は、ワークフロー構成要素領域５０３に視覚要素を戻す形態を成してもよい。代替として、ワークフロー構築論理３０４は、潜在的に安全でない、および／または臨床的に不適切なワークフローを管理者に知らせる警報を発出してもよい。ワークフロー構築論理３０４は、少なくともいくつかの警報発出状況において、管理者がそのような警報を無効にすることを可能にしてもよい。
【００７９】
ワークフロー構成要素が適切に配置されているという判定をワークフロー構築論理３０４が行った場合、次のステップ４０７は、ワークフロー構成要素の許容／提案値の初期設定値および／または範囲を選択するようにユーザに促すことであってもよい。いずれの値および／または範囲もワークフロー構成要素に必要とされない状況では、ステップ４０７は当然ながら省略されてもよい。
【００８０】
説明目的で、初期設定値が入力されるシナリオを説明する。ワークフローを構築する際に、管理者が、「事前充填の搭載」５０８ワークフロー構成要素をワークフロー構築領域５０１の中へ移動させてもよい。そのような動作の後に、ワークフロー構築論理３０４は、管理者が「事前充填の搭載」５０８ワークフロー構成要素の初期設定値を入力したいか否かについて、管理者に問い合せを行ってもよい。それに応じて、管理者が、典型的には、医療用流体送達システム３００を使用して医療用流体注入を行う時に１２５ミリリットル事前充填シリンジを使用することを決定した場合に、管理者は、初期設定値（例えば、１２５ミリリットル）を入力してもよい。そのようなシナリオでは、ワークフロー実行中に、ワークフロー実行論理３０５は、１２５ミリリットルシリンジを設置するようにユーザを促してもよい。代替として、管理者は、初期設定値を入力することを拒否してもよく、その場合、「事前充填の搭載」５０８ワークフロー構成要素がワークフロー実行中に成立させられると、ワークフロー実行論理３０５は、搭載された、または搭載される事前充填シリンジの量を入力するようにユーザに促してもよい。同様に、ユーザに値を入力する能力があってもよいステップでは、ワークフロー実行中にユーザが範囲外の値を入力した場合に、ワークフロー実行論理３０５が、そのような値の入力を防止し、予期および／または許容範囲外の値を入力したことを示すアラームをユーザに鳴らし、および／または表示し、何らかの他の適切な動作を実施してもよいように、範囲がステップ４０７で特定されてもよい。
【００８１】
次のステップ４０８は、ワークフロー構築過程が完了したかどうかを判定することであってもよい。そのような判定は、ユーザおよび／またはワークフロー構築論理３０４によって行われてもよい。ワークフロー構築過程が完了していない場合、過程は、視覚要素が表示されるステップ４０２に戻ってもよく、別の視覚要素が選択され、ワークフローに組み込まれてもよい。ワークフロー構築が完了している場合、次のステップ４０９は、ワークフローを記憶することであってもよい。これは、ワークフローに名前を与えるステップ、または医療用流体送達システム３００に他の識別パラメータを入力するステップを含んでもよい。
【００８２】
図５を参照すると、ワークフロー構築表示５００はまた、ワークフロー管理領域５０２を含んでもよい。ワークフロー管理領域５０２は、「ワークフローを保存する」ボタン５１２と、「初期設定として設定する」ボタン５１３と、「ワークフローリスト」ボタン５１４とを含んでもよい。これらのボタン５１２〜５１４は、医療用流体送達システム３００（図３Ａ）のメモリ３０３に記憶されたワークフローを管理するために使用されてもよい。例えば、管理者は、「ワークフローを保存する」ボタン５１２を押して、メモリ３０３に現在のワークフローを保存してもよい。本明細書で使用される場合ワークフロー構築表示５００上またはワークフロー実行表示６００（図６、以下で論議される）上のボタンを「押す」ステップは、表示がタッチスクリーン上にある場合に表示５００、６００を押すステップ、マウスポインタをボタンまで移動させ、マウスでアイテムをクリックするステップ、押されているボタンの領域中で表示５００、６００に隣接するボタンを押すステップ、またはユーザが表示上のアイテムの選択を示すための任意の他の適切な方法を含んでもよい。「ワークフローリスト」ボタン５１４を押すことによって、種々のワークフローが編集および／または再検討のためにアクセスされてもよい。そのような動作は、メモリ３０３に現在記憶されているワークフローのリストを示してもよい、別のウィンドウを提示してもよい。「初期設定として設定する」ボタン５１３は、医療用流体送達システム３００の初期設定ワークフローとして、現在のワークフローを設定するために使用されてもよい。
【００８３】
ワークフロー構築論理３０４は、パスワードが要求されるように構成されてもよい。パスワードは、ワークフロー構築論理３０４の機能性の全体または一部にアクセスするために要求されてもよい。例えば、１つの配設では、ワークフロー構築論理３０４の任意の部分にアクセスするために、パスワードが必要とされてもよい。別の実施例では、既存の保存されたワークフローを改変するため、および／または医療用流体送達システム３００の初期設定ワークフローを変更するために、パスワードが要求されてもよい。同様に、ワークフロー実行論理３０５は、パスワードが要求されるように構成されてもよい。パスワードは、ワークフロー実行論理３０５の機能性の全体または一部にアクセスするために要求されてもよい。
【００８４】
ワークフロー構築領域５０１は、構築および／または編集されている特定のワークフローの図式表現を表示してもよい。ワークフロー構築領域５０１内で図示されるように、現在のワークフローは、「プロトコル選択」５０７、「事前充填の搭載」５０８、「管類の接続および浄化」５０９、「開通性チェック」５１０、および「主要注入」５１１というワークフロー構成要素で構成されている。ワークフロー構築領域５０１はまた、この実施例では、「標準ＣＴ-Ｓｔ  Ａｎｎｅ'ｓ」としてワークフローを識別する、ヘッダ５１６を含んでもよい。ワークフロー構築領域５０１はまた、ワークフロー構築領域５０１内のワークフロー構成要素間の関係を伝達するように、矢印５１７または他の適切な指標を含んでもよい。
【００８５】
一部のワークフロー構成要素は、要素間の関係を伝達するように、色分けされ、および／または、他の種類の視覚的指標を採用してもよい。例えば、図５に図示されるように、「事前充填の搭載」５０８、「空シリンジ充填」５０４、および「多重投与システム補充」５０５ワークフロー構成要素は全て、それらが関係付けられていることを示す、共通背景パターンを共有する。それらは、３つのうちの１つだけが任意の特定のワークフローに存在してもよい、相互排他的構成要素であってもよいという点で関係付けられてもよい。これは、例えば、特定のワークフローが単一のシリンジで実施されている場合となる。ワークフロー構築論理３０４は、管理者の動作に応じて関係の指示を提供してもよい。例えば、管理者が、「空シリンジ充填」５０４ワークフロー構成要素を、図５に図示されたワークフロー構築領域５０１に追加しようとした場合、ワークフロー構築論理３０４は、警報ウィンドウまたは他の適切な指標を生成して、「空シリンジ充填」５０４ワークフロー構成要素は「事前充填の搭載」５０８ワークフロー構成要素とは互換性がないこと、および管理者が動作をキャンセルしたいか、「事前充填の搭載」５０８ワークフロー構成要素を「空シリンジ充填」５０４ワークフロー構成要素と交換したいかどうかを、管理者に通知してもよい。この点で、ワークフロー構築論理３０４は、ワークフロー構築領域５０１および／またはそのような相互排他的構成要素のうちの２つ以上で構築されているワークフロー内の同時包含を防止するように、動作可能であってもよい。
【００８６】
ワークフロー構築論理３０４はまた、管理者が図式および／またはテキスト要素を追加および／または編集して、ワークフロー構築表示５００および／またはワークフロー実行表示６００（図６、以下で論議される）をカスタマイズすることを可能にしてもよい。図５に図示されるように、ロゴ５１５が、ワークフロー構築表示５００に追加されてもよい。ロゴ５１５は、ワークフロー構築表示５００内の任意の適切な場所に位置付けられてもよい。さらに、ワークフロー構築論理３０４は、ワークフロー構築中にワークフロー構築論理３０４によって表示され、ワークフロー構成要素と関連するワークフロー実行の種々のステップ中にワークフロー実行論理３０５によって表示される、テキストをカスタマイズする能力を提供してもよい。これは、医療用流体送達システム３００を操作する特定の組織によって使用される用語に合致するように、管理者が、ワークフロー構築および／または実行中に医療用流体送達システム３００によって使用される用語を調整することを可能にする。例えば、いくつかの組織は、「開通性チェック」を「溢出チェック」と呼んでもよい。ワークフロー構築論理３０４は、管理者が、ワークフロー実行中に「溢出チェック」という用語を「開通性チェック」の代用にすることを可能にしてもよく、したがって、医療用流体送達システム３００に、組織によって使用されるような「溢出チェック」という用語を提示させる。
【００８７】
図４Ｂは、ワークフロー実行論理３０５を使用してワークフローを実行する方法の一実施形態のフロー図４５０である。第１のステップ４５１は、ワークフローを取り出すことであってもよい。これは、ユーザインターフェース３０２との相互作用を通して、ユーザによって達成されてもよい。例えば、ユーザは、医療用流体送達システム３００のメモリ３０３に記憶された複数のワークフロー３０７から１つのワークフローを選択してもよい。いったんワークフローが取り出されると、次のステップ４５２は、ワークフローを開始することであってもよい。選択および開始ステップは、同時に発生してもよい。例えば、ユーザが、ワークフローを表すアイコンまたは他の要素に触れるか、または別様に選択してもよく、それに応じて、医療用流体送達システム３００が、ワークフローを取り出し、開始してもよい。
【００８８】
いったんワークフローが開始されると、次のステップ４５３は、ワークフロー実行論理３０５が第１のワークフロー構成要素と関連する情報を表示することであってもよい。次いで、この後に、ワークフロー構成要素を実施するステップ４５４が続いてもよい。ステップ４５４でのワークフロー構成要素の完了後、次のステップ４５５は、ワークフローが完了しているかどうかを判定することであってもよい。ワークフローが完了していない場合は、方法は、ステップ４５３に戻り、次のワークフロー構成要素と関連する情報を表示して、ステップ４５３、４５４、および４５５を繰り返してもよい。方法は、ワークフローが完了するまで、このようにして継続してもよい。この点で、ワークフロー実行論理３０５は、所定の順序で、それぞれの含まれたワークフロー構成要素を連続的に実行してもよい。ワークフローがステップ４５５で完了していると判定された場合、方法は、ステップ４５６に移動してワークフローを終了する。
【００８９】
ステップ４５４のワークフロー構成要素の実施は、ユーザによって、ワークフロー実行論理３０５によって開始される医療用流体送達システム３００によって、ユーザおよび医療用流体送達システム３００の組み合わせによって、実施されてもよい。
【００９０】
例えば、「事前充填の搭載」５０８ワークフロー構成要素は、主にユーザによって実施されるステップであってもよい。図６に図示されるように、タスクがユーザによって完了される場合、ユーザインターフェース３０２は、ワークフロー指図領域６０２を含む、ワークフロー実行表示６００を提示してもよい。図示されるように、ワークフロー指図領域６０２は、注入デバイス３０１上に事前充填されたシリンジをどのようにして搭載するかを描写する、図式指図６０５を含んでもよい。図６の図式指図６０５が、可撤性面板上にすでに搭載されている事前充填されたシリンジおよび注入器ヘッド上に設置されている面板の説明図を図示する一方で、他の図式説明図は、注入器のパワーヘッド上に空のシリンジまたは事前充填されたシリンジを搭載する他の方法を示してもよい（例えば、すでに注入器ヘッドの一部である（例えば、注入器に取り外し可能に取り付けられる、注入器と一体化している）シリンジ台上にシリンジを載置する）。さらに、図式説明図６０５は、ユーザによって実施されるタスクを実演するのを補助するように、動画である、ビデオ指図を含む、および／または一連の静止画像を含んでもよい。ワークフロー指図領域６０２はまた、実施されるタスクを説明するテキスト指図６０４を含んでもよい。ユーザがワークフロー指図領域６０２中で説明されるステップを完了すると、ユーザは、「次のステップ」ボタン６０６を押して、現在のワークフロー構成要素における次のステップに移動するように、または次のワークフロー構成要素に移動するように、ワークフロー実行論理３０５に示してもよい。
【００９１】
ワークフロー実行表示６００はまた、ワークフロー説明領域６０１と、ワークフロー管理領域６０３とを含んでもよい。図示されるように、ワークフロー説明領域６０１は、現在動作中であるワークフローの名前の指示を含んでもよい。図示されるように、ワークフロー管理領域６０３は、「ワークフローを終了する」ボタン６０７（以下で説明される）および／またはロゴ５１５を含んでもよい。例えば、現在の時間、患者名、ユーザ名、および注入されている医療用流体の種類を含む、任意の他の適切な情報も、ワークフロー説明領域６０１および／またはワークフロー管理領域６０３に表示されてもよい。管理者は、ワークフロー構築論理３０４を通して、どのような情報がワークフロー説明領域６０１および／またはワークフロー管理領域６０３内に表示されるかを選択することが可能であってもよい。この点で、任意の情報またはボタンが、ワークフロー実行表示６００の任意の適切な領域中に表示されてもよい。例えば、管理者は、ワークフロー説明領域６０１内に「ワークフローを終了する」ボタン６０７を位置付けてもよい。さらに、所与の構成では、ワークフロー説明領域６０１およびワークフロー管理領域６０３は、単一の領域に（例えば、ワークフロー実行表示６００の最上部または底部に沿って）組み入れられてもよい。別の構成では、ワークフロー実行表示６００の全体が、ワークフロー指図領域６０２によって占められてもよく、ワークフロー説明領域６０１およびワークフロー管理領域６０３と関連して説明される種々の要素が、ワークフロー指図領域６０２に重ね合わせられてもよい（例えば、「次のステップ」ボタン６０６がワークフロー指図領域６０２内に配置される方法と同様に）。本明細書で論議される種々の要素を表示する任意の他の適切な方法が、ワークフロー実行表示６００に組み込まれてもよい。
【００９２】
図５に示された「開通性チェック」５１０ワークフロー構成要素は、主に医療用流体送達システム３００によって実施されるステップであってもよい。「管類の接続および浄化」５０９ワークフロー構成要素に従って管類が接続され、浄化された後、医療用流体送達システム３００は、記憶された開通性チェックプロトコル３５６（図３Ｂ）のうちの１つを使用して開通性チェックを実行するように、「開通性チェック」５１０ワークフロー構成要素を自動的に実行してもよい。これは、カテーテルが静脈の内側に位置付けられているか、または皮下組織の中で静脈に隣接している（一般的に溢出または浸潤と呼ばれている、医療用流体が皮下組織に注入されている状態）かどうかを判定するように、医療用流体送達システム３００が、少量の医療用流体を分注し、遭遇する抵抗（例えば、圧力）を測定することを必要としてもよい。ワークフロー実行論理３０５が開通性チェックを実施している間、ユーザインターフェース３０２は、医療用流体送達システム３００がタスクを現在実施しているという指示を表示してもよい。そのような表示は、「開通性チェック進行中」等のテキスト指示、および／または開通性チェックの完了の割合を報告するステータスバー等の図式指示を含んでもよい。ワークフロー実行論理３０５が「開通性チェック」５１０ワークフロー構成要素を完了すると、ワークフロー実行論理３０５は、次のワークフロー構成要素に自動的に進んでもよい。「開通性チェック」５１０ワークフロー構成要素はまた、溢出の認識可能な兆候が存在しないことをユーザが確認する、検証ステップを含んでもよい。
【００９３】
図５に示された「管類の接続および浄化」５０９ワークフロー構成要素は、ユーザおよび医療用流体送達システム３００の両方によって実施されるステップであってもよい。ユーザは、適切な管類を注入デバイス３０１に接続し、浄化のための適正な配向で注入デバイスを配置してもよい。ユーザがこれらのステップを実施している間に、ユーザインターフェース３０２は、ユーザを補助するように管類取付に関するテキストおよび／または図式指図を表示してもよい。いったん管類が接続され、注入デバイス３０１が適正な配向になると、ユーザが浄化動作を続行するようにワークフロー実行論理３０５に示してもよい。次いで、医療用流体送達システム３００が、浄化動作を自動的に実施してもよい。ユーザはまた、浄化動作を手動で制御してもよい。
【００９４】
図６に戻ると、代替として、テキスト指図６０４は、管理者がワークフロー構築中に「事前充填の搭載」５０８ワークフロー構成要素の初期設定値を選択した場合、または「プロトコル選択」５０７ワークフロー構成要素で選択されたプロトコルが造影剤の特定のサイズ／種類を要求する場合に、ワークフローにおける特定のシリンジのサイズおよび／または医療用流体の種類を参照してもよい。例えば、図６に示されたテキスト指図６０４の代わりに、テキスト指図は、「注入デバイス上に１２５ｍｌ事前充填シリンジを搭載する」を読み込んでもよい。別の実施例では、造影剤の種類または造影剤のブランド名が、テキスト指図６０４に含まれてもよい。
【００９５】
「ワークフローを終了する」ボタン６０７は、現在のワークフローを終了し、医療用流体送達システム３００の追加機能性にアクセスするために、ユーザによって使用されてもよい。医療用流体送達システム３００は、ワークフローが再開されてもよいように、ワークフローに関する情報を保持してもよい。例えば、ユーザは、現在のワークフローを終了し、タスクを実施し、および／またはワークフローとは無関係の医療用流体送達システム３００の能力にアクセスし、次いで、ワークフローに戻って続けてもよい。この点で、ユーザは、ワークフローの実施を一時的に一時停止してもよい。「ワークフローを終了する」ボタン６０７はまた、現在のワークフローを中止および／またはキャンセルするために使用されてもよい。「ワークフローを終了する」ボタン６０７を起動した後、医療用流体送達システム３０0は、ユーザが後の再開のためにワークフローの現在の進捗を保存するか、またはワークフローを永久に辞めるかについて、ユーザに問い合せを行ってもよい。
【００９６】
各ワークフロー構成要素に関するワークフロー実行論理３０５によって生成されるユーザインターフェース３０２の出力は、現在動作中のワークフロー構成要素に関する情報および特徴を実質的に示すように、（ワークフローを実行していない時の医療用流体送達システム３００のユーザインターフェース３０２の出力に対して）単純化されてもよい。この点で、ワークフローは、簡易的に注入ステップを通してユーザを誘導してもよく、指図を連続的に表示し、その場合、各ワークフロー構成要素またはその一部分について、そのワークフロー構成要素またはその一部分をユーザが完了するために必要とされる実質的に唯一のものが表示される。したがって、特定のワークフロー構成要素に関する各出力は、他のワークフロー構成要素に関する情報を少ししか、または全く含有しなくてもよい。そのようなシステムは、ユーザから要求される記憶量を低減する、および／またはユーザがチェックリストまたは書面の指図に依存する必要性を低減してもよい。これは、結果として、ワークフロー実行論理３０５のユーザに対する訓練要件を低減してもよい。
【００９７】
図５および６は、概してタッチスクリーンとして図示され、説明されている。他のインターフェースが、医療用流体送達システム３００によって使用されてもよい。例えば、ユーザインターフェース３０２は、画面の周辺に沿った多機能ボタン、キーボード、キーパッド、マウス、ノブ、または任意の他の適切な入力デバイス、あるいは入力デバイスの組み合わせを組み込んでもよい。
【００９８】
ある配設では、ワークフローは、特定の注入プロトコルと関連付けられてもよい。そのような配設では、ユーザが、実行されるプロトコルを選択してもよく、次いで、ワークフロー実行論理３０５が、プロトコルと関連するワークフローを開始してもよい。別の配設では、注入プロトコルは、特定のワークフローと関連付けられてもよい。そのような配設では、ユーザが、実行されるワークフローを選択してもよく、次いで、ワークフロー実行論理３０５が、適切な時に（例えば、「主要注入」５１１ワークフロー構成要素中に）プロトコルと関連するプロトコルを開始してもよい。さらに別の配設（図５で構築されている配設）では、ユーザがワークフローを取り込んでもよく、ワークフローのステップがプロトコル選択（例えば、「プロトコル選択」５０７ワークフロー構成要素）を含んでもよい。
【００９９】
ワークフロー構築論理、ワークフロー実行論理、自動注入器制御論理、注入プロトコル設定論理、および開通性チェック設定論理はそれぞれ、任意の適切なソフトウェア、ファームウェア、またはハードウェアで、１つ以上のプラットフォームを使用して、１つ以上のプロセッサを使用して、任意の適切な種類のメモリを使用して、任意の適切な種類の任意の単一のコンピュータ、または任意の適切な方式で相互接続された任意の適切な種類の複数のコンピュータを使用して、またはそれらの任意の組み合わせを無制限に含む、任意の適切な方式で実装されてもよい。さらに、各論理は、任意の単一の場所で、または任意の適切な方式で（例えば、任意の種類のネットワークを介して）相互接続される複数の場所で実装されてもよい。
【０１００】
本発明の先述の説明は、例証および説明のために提示されている。さらに、本説明は、本発明を本明細書で開示される形態に限定することを目的としない。その結果として、変化例および修正は、上記の教示に相応であり、関連技術の技能および知識は、本発明の範囲内である。上記で説明される実施形態はさらに、本発明を実践する公知の最良のモードを説明すること、および、そのような実施形態または他の実施形態で、かつ本発明の特定の用途または使用法によって必要とされる種々の修正とともに、当業者が本発明を利用できるようにすることを目的とする。添付の請求項は、従来技術によって可能となる程度で、代替的実施形態を含むと解釈されることが意図される。
【図１】
2012510315.tif 000003
【図２Ａ】
2012510315.tif 000004
【図２Ｂ】
2012510315.tif 000005
【図２Ｃ】
2012510315.tif 000006
【図３Ａ】
2012510315.tif 000007
【図３Ｂ】
2012510315.tif 000008
【図４Ａ】
2012510315.tif 000009
【図４Ｂ】
2012510315.tif 000010
【図５】
2012510315.tif 000011
【図６】
2012510315.tif 000012
【手続補正書】
【提出日】平成23年5月31日(2011.5.31)
【手続補正１】
【補正対象書類名】特許請求の範囲
【補正対象項目名】全文
【補正方法】変更
【補正の内容】
【特許請求の範囲】
【請求項１】
注入デバイスと、
ユーザインターフェースと、
前記ユーザインターフェースを通して、複数の利用可能なワークフロー構成要素をユーザに提示するように動作可能である、ワークフロー構築論理であって、前記ワークフロー構築論理は、前記ユーザインターフェースを通して、前記ユーザから適正な一部の前記複数の利用可能なワークフロー構成要素の選択を受信するように動作可能であり、前記ワークフロー構築論理は、前記適正な一部からワークフローを構築するように動作可能である、ワークフロー構築論理と
を備える、医療用流体送達システム。
【請求項２】
前記ユーザインターフェースは、前記注入デバイスと一体化している、請求項１に記載の医療用流体送達システム。
【請求項３】
前記注入デバイスは、前記ワークフロー構築論理を備える、請求項２に記載の医療用流体送達システム。
【請求項４】
前記複数の利用可能なワークフロー構成要素は、相互排他的ワークフロー構成要素を備え、前記ワークフロー構築論理は、前記相互排他的構成要素のうちの２つ以上の同時選択、および前記ワークフローの中の前記相互排他的構成要素のうちの２つ以上の同時包含のうちの少なくとも１つを防止するように動作可能である、請求項１〜３のうちのいずれか１項に記載の医療用流体送達システム。
【請求項５】
前記複数の利用可能なワークフロー構成要素は、シリンジ種類の選択、シリンジ数量の選択、注入プロトコルの選択、シリンジの搭載、シリンジの再搭載、シリンジの充填、管類セットの接続および浄化、開通性チェック、試験注入、主要注入、結果表示、結果印刷、ならびに管類およびシリンジの除去のうちの少なくとも１つに関する、ワークフロー構成要素を備える、請求項１〜４のうちのいずれか１項に記載の医療用流体送達システム。
【請求項６】
前記ワークフロー構築論理は、前記複数の利用可能なワークフロー構成要素の少なくとも一部分と関連して前記ユーザインターフェース上に表示される視覚要素の改変を可能にする、請求項１〜５のうちのいずれか１項に記載の医療用流体送達システム。
【請求項７】
前記視覚要素は、テキスト要素を備える、請求項６に記載の医療用流体送達システム。
【請求項８】
ユーザに前記ワークフローを提示するように動作可能である、ワークフロー実行論理をさらに備える、請求項１〜７のうちのいずれか１項に記載の医療用流体送達システム。
【請求項９】
前記ワークフロー実行論理は、前記ワークフローの各ワークフロー構成要素について、表示上で少なくとも１つの出力を生成する、請求項８に記載の医療用流体送達システム。
【請求項１０】
前記ワークフロー実行論理は、前記ワークフローに従って表示上で一連の出力を生成する、請求項８〜９のうちのいずれか１項に記載の医療用流体送達システム。
【請求項１１】
前記ワークフロー実行論理は、前記ワークフローの実施を一時的に一時停止するように動作する、一時停止機能を備え、
前記ワークフローが一時的に一時停止されている間に、前記医療用流体送達システムは、前記ワークフローの一部ではない機能を実施するように動作可能であり、前記ワークフロー実行論理は、前記一時停止機能の完了後に再開する、請求項８〜１０のうちのいずれか１項に記載の医療用流体送達システム。
【請求項１２】
前記ワークフロー実行論理は、所定の順序で、前記適正な一部の前記複数の利用可能なワークフロー構成要素のうちの各ワークフロー構成要素を連続的に実行するように動作する、請求項８〜１１のうちのいずれか１項に記載の医療用流体送達システム。
【請求項１３】
複数の記憶されたワークフローをさらに備える、請求項１〜１２のうちのいずれか１項に記載の医療用流体送達システム。
【請求項１４】
前記複数の記憶されたワークフローからのワークフローの選択を可能にする、データ入力デバイスをさらに備える、請求項１３に記載の医療用流体送達システム。
【請求項１５】
医療用流体送達システムを操作する方法であって、
複数の利用可能なワークフロー構成要素を備える、医療用流体送達システムを提供するステップと、
ワークフロー内に含むために、前記複数の利用可能なワークフロー構成要素から適正な一部のワークフロー構成要素を選択するステップと
を含む、方法。
【請求項１６】
前記ワークフローを形成するように、前記適正な一部のうちのワークフロー構成要素を配設するステップをさらに含む、請求項１５に記載の方法。
【請求項１７】
前記選択するステップおよび配設するステップのうちの少なくとも１つは、前記医療用流体送達システムによって、一式の相互排他的ワークフロー構成要素のうちの前記ワークフロー内の包含を防止するステップを含む、請求項１６に記載の方法。
【請求項１８】
共通色、共通パターン、および共通形状のうちの少なくとも１つを伴う、前記一式の相互排他的ワークフロー構成要素のうちの各ワークフロー構成要素を表す、視覚要素を表示するステップをさらに含む、請求項１７に記載の方法。
【請求項１９】
前記配設するステップは、ワークフロー構成要素が別のワークフロー構成要素に対して不適切な位置にあることをユーザに示す、前記医療用流体送達システムを備える、請求項１６〜１８のうちのいずれか１項に記載の方法。
【請求項２０】
ユーザインターフェース上に複数の視覚要素を表示するステップをさらに含み、前記複数の視覚要素のそれぞれは、前記複数の利用可能なワークフロー構成要素のうちの少なくとも１つのワークフロー構成要素を表す、請求項１５〜１９のうちのいずれか１項に記載の方法。
【請求項２１】
前記選択するステップは、前記ユーザインターフェースの第１の部分から前記ユーザインターフェースの第２の部分へ前記視覚要素のうちの１つを移動させるステップを含む、請求項２０に記載の方法。
【請求項２２】
前記ユーザインターフェースの前記第１の部分は、未選択のワークフロー構成要素を表す複数の視覚要素を備え、前記ユーザインターフェースの前記第２の部分は、選択されたワークフロー構成要素を表す複数の視覚要素を備える、請求項２１に記載の方法。
【請求項２３】
前記選択するステップは、前記ワークフロー内に、調整可能パラメータを備えるワークフロー構成要素を含むステップを含む、請求項１５〜２２のうちのいずれか１項に記載の方法。
【請求項２４】
前記選択するステップおよび配設するステップのうちの少なくとも1つの間に、前記調
整可能パラメータの初期設定値を入力するステップをさらに含む、請求項２３に記載の方法。
【請求項２５】
前記選択するステップおよび配設するステップのうちの少なくとも1つの間に、前記調
整可能パラメータの初期設定範囲を入力するステップをさらに含む、請求項２３に記載の方法。
【請求項２６】
前記選択するステップおよび配設するステップの完了後に、前記調整可能パラメータの値を入力するステップをさらに含む、請求項２４〜２５のうちのいずれか１項に記載の方法。
【請求項２７】
前記選択するステップおよび配設するステップの間に、部分的に構築されたワークフローの表現を表示するステップをさらに含む、請求項１５〜２６のうちのいずれか１項に記載の方法。
【請求項２８】
前記適正な一部のうちのワークフロー構成要素と関連する表示のテキスト要素をカスタマイズするステップをさらに含む、請求項１５〜２７のうちのいずれか１項に記載の方法。
【請求項２９】
患者に医療用流体を注入するために、前記医療用流体送達システムを準備するように前記ワークフローの少なくとも一部分を実施するステップをさらに含む、請求項１５〜２８のうちのいずれか１項に記載の方法。
【請求項３０】
前記ワークフローの前記少なくとも一部分は、前記医療用流体送達システム上にシリンジを載置するステップに関するワークフロー構成要素を備える、請求項２９に記載の方法。
【請求項３１】
前記ワークフローの前記少なくとも一部分は、前記医療用流体送達システムの複数部分から空気を排出するステップに関するワークフロー構成要素を備える、請求項２９〜３０のうちのいずれか１項に記載の方法。
【請求項３２】
前記ワークフローの少なくとも一部分を実施する前記ステップは、臨床医に対する指図を表示するステップ、および前記医療用流体送達システムによる、前記適正な一部のうちのワークフロー構成要素の少なくとも一部分の自動実施のうちの少なくとも１つを含む、請求項２９〜３１のうちのいずれか１項に記載の方法。
【請求項３３】
前記実施するステップは、第１のワークフロー構成要素と関連する第１の表示、および第２のワークフロー構成要素と関連する第２の表示を連続的に表示するステップを含み、前記第１の表示は、前記第２のワークフロー構成要素に関する情報を含まず、前記第２の表示は、前記第１のワークフロー構成要素に関する情報を含まない、請求項２９〜３２のうちのいずれか１項に記載の方法。
【請求項３４】
前記医療用流体送達システムから医療用流体を放出するステップをさらに含む、請求項１５〜３３のうちのいずれか１項に記載の方法。
【請求項３５】
前記医療用デバイスから医療用流体を放出するように前記ワークフローを実行するステップをさらに含む、請求項１５〜２８のうちのいずれか１項に記載の方法。
【請求項３６】
前記実行するステップは、プロトコルを選択するステップを含み、前記医療用流体送達システムは、前記プロトコルを選択するステップで選択された前記プロトコルに基づいて、前記ワークフローを選択する、請求項３５に記載の方法。
【請求項３７】
前記選択するステップは、前記適正な一部のうちのワークフロー構成要素に関する初期設定値を割り当てるステップを含み、前記実行するステップは、前記初期設定値を使用して実施される、請求項３５または３６のうちのいずれか１項に記載の方法。
【請求項３８】
前記実行するステップの間に、前記初期設定値を無効にするステップをさらに含む、請求項３７に記載の方法。
【請求項３９】
前記初期設定値を割り当てるステップは、ユーザによって実施される、請求項３７または３８のうちのいずれか１項に記載の方法。
【請求項４０】
前記選択するステップは、前記適正な一部のうちのワークフロー構成要素に関する初期設定範囲を割り当てるステップを含み、前記実行するステップは、前記初期設定値を使用して実施される、請求項３５〜３９のうちのいずれか１項に記載の方法。
【請求項４１】
前記実行するステップの間に、前記ワークフロー構成要素に関する値が前記範囲の外側にあることを示す警告を生成するステップをさらに含む、請求項４０に記載の方法。
【請求項４２】
前記初期設定範囲を割り当てるステップは、ユーザによって実施される、請求項４０または４１のうちのいずれか１項に記載の方法。
【請求項４３】
前記実行するステップは、前記適正な一部のワークフロー構成要素を連続的に実施するステップを含む、請求項３５〜４２のうちのいずれか１項に記載の方法。
【請求項４４】
前記実行するステップは、第１の表示上に臨床医に対する指図を提示するステップ、および前記医療用流体送達システムによる、前記適正な一部のうちのワークフロー構成要素の少なくとも一部分の自動実施のうちの少なくとも１つを含む、請求項３５〜４３のうちのいずれか１項に記載の方法。
【請求項４５】
前記実行するステップは、連続的に、第１のワークフロー構成要素と関連する第１の表示上に第１の出力を提示し、第２のワークフロー構成要素と関連する第２の表示上に第２の出力を提示するステップを含み、前記第１の出力は、前記第２のワークフロー構成要素に関する情報を含まず、前記第２の出力は、前記第１のワークフロー構成要素に関する情報を含まない、請求項３５〜４４のうちのいずれか１項に記載の方法。
【請求項４６】
前記第２のワークフロー構成要素と関連する前記第２の出力を提示するステップは、前記第１のワークフロー構成要素の完了後に自動的に発生する、請求項４５に記載の方法。
【請求項４７】
各ワークフロー構成要素の完了前に前記ワークフローを終了するステップと、
前記ワークフローから逸脱するタスクを前記医療用流体送達システムで実施するステップと
をさらに含む、請求項３５〜４６のうちのいずれか１項に記載の方法。
【請求項４８】
前記選択するステップの実施を可能にするように、前記医療用流体送達システムにパスワードを提供するステップをさらに含む、請求項１５〜４７のうちのいずれか１項に記載の方法。
【請求項４９】
前記選択するステップの後に前記ワークフローを保存するステップをさらに含む、請求項１５〜４８のうちのいずれか１項に記載の方法。
【請求項５０】
前記保存するステップの後、および前記実行するステップの前に、前記ワークフローを選択するステップをさらに含む、請求項４９に記載の方法。
【請求項５１】
前記選択するステップは、複数の記憶されたワークフローから前記ワークフローを選抜するステップを含む、請求項５０に記載の方法。
【請求項５２】
前記選抜するステップは、データ入力デバイスで実施される、請求項５１に記載の方法。
【請求項５３】
前記保存するステップの後、および前記実行するステップの前に、初期設定ワークフローとして前記ワークフローを指定するステップをさらに含む、請求項４９に記載の方法。
【請求項５４】
注入デバイスと、メモリユニットとを備える、医療用流体送達システムであって、前記メモリユニットは、
注入実行パラメータを含有する、少なくとも１つの注入プロトコルと、
複数のワークフロー構成要素と、
第１の適正な一部の前記複数のワークフロー構成要素を備える、第１のワークフローであって、前記第１のワークフローは、前記第１の適正な一部に含有されないワークフロー構成要素を含まない、第１のワークフローと
を備える、医療用流体送達システム。
【請求項５５】
それぞれ注入実行パラメータを含有する、複数の注入プロトコルをさらに備える、請求項５４に記載の医療用流体送達システム。
【請求項５６】
第２の適正な一部の前記複数のワークフロー構成要素を備える、第２のワークフローをさらに備え、前記第２のワークフローは、前記第２の適正な一部に含有されないワークフロー構成要素を含まず、前記第１の適正な一部は、前記第２の適正な一部とは異なる、請求項５４または５５のうちのいずれか１項に記載の医療用流体送達システム。
【手続補正２】
【補正対象書類名】明細書
【補正対象項目名】００３９
【補正方法】変更
【補正の内容】
【００３９】
任意の適切な数のシリンジが、任意の適切な方式で（例えば、着脱可能に、前方搭載式、後方搭載式、側面搭載式）、任意のそのような自動注入器とともに利用されてもよく、任意の適切な医療用流体が、任意のそのような自動注入器の所与のシリンジから放出されてもよく（例えば、造影剤、放射性医薬品、生理食塩水、およびそれらの任意の組み合わせ）、任意の適切な流体が、任意の適切な方式で（例えば、連続的に、同時に）多重シリンジ自動注入器構成から放出されてもよく、またはそれらの任意の組み合わせである。一実施形態では、自動注入器の動作によってシリンジから放出される流体は、導管（例えば、医療用管類セット）の中へ方向付けられ、その場合、この導管は、任意の適切な方式でシリンジと流体的に相互接続され、流体を所望の場所に（例えば、注入のために患者に挿入されるカテーテルに）方向付ける。複数のシリンジが、（例えば、単一の注入部位に提供するために）共通導管の中へ放出してもよく、または１つのシリンジが、（例えば、１つの注入部位に提供するために）１つの導管の中へ放出してもよい一方で、別のシリンジは、（例えば、異なる注入部位に提供するために）異なる導管の中へ放出してもよい。一実施形態では、各シリンジは、シリンジ筒と、シリンジ筒内に配置され、かつシリンジに対して移動可能であるプランジャとを含む。このプランジャは、シリンジプランジャ駆動アセンブリが、少なくとも１つの方向に、およびおそらくは２つの異なる反対方向に、プランジャを前進させることができるように、自動注入器のシリンジプランジャ駆動アセンブリと界面接触してもよい。
例えば、本発明は以下の項目を提供する。
（項目１）
注入デバイスと、
ユーザインターフェースと、
上記ユーザインターフェースを通して、複数の利用可能なワークフロー構成要素をユーザに提示するように動作可能である、ワークフロー構築論理であって、上記ワークフロー構築論理は、上記ユーザインターフェースを通して、上記ユーザから適正な一部の上記複数の利用可能なワークフロー構成要素の選択を受信するように動作可能であり、上記ワークフロー構築論理は、上記適正な一部からワークフローを構築するように動作可能である、ワークフロー構築論理と
を備える、医療用流体送達システム。
（項目２）
上記ユーザインターフェースは、上記注入デバイスと一体化している、項目１に記載の医療用流体送達システム。
（項目３）
上記注入デバイスは、上記ワークフロー構築論理を備える、項目２に記載の医療用流体送達システム。
（項目４）
上記複数の利用可能なワークフロー構成要素は、相互排他的ワークフロー構成要素を備え、上記ワークフロー構築論理は、上記相互排他的構成要素のうちの２つ以上の同時選択、および上記ワークフローの中の上記相互排他的構成要素のうちの２つ以上の同時包含のうちの少なくとも１つを防止するように動作可能である、項目１〜３のうちのいずれか１項に記載の医療用流体送達システム。
（項目５）
上記複数の利用可能なワークフロー構成要素は、シリンジ種類の選択、シリンジ数量の選択、注入プロトコルの選択、シリンジの搭載、シリンジの再搭載、シリンジの充填、管類セットの接続および浄化、開通性チェック、試験注入、主要注入、結果表示、結果印刷、ならびに管類およびシリンジの除去のうちの少なくとも１つに関する、ワークフロー構成要素を備える、項目１〜４のうちのいずれか１項に記載の医療用流体送達システム。
（項目６）
上記ワークフロー構築論理は、上記複数の利用可能なワークフロー構成要素の少なくとも一部分と関連して上記ユーザインターフェース上に表示される視覚要素の改変を可能にする、項目１〜５のうちのいずれか１項に記載の医療用流体送達システム。
（項目７）
上記視覚要素は、テキスト要素を備える、項目６に記載の医療用流体送達システム。
（項目８）
ユーザに上記ワークフローを提示するように動作可能である、ワークフロー実行論理をさらに備える、項目１〜７のうちのいずれか１項に記載の医療用流体送達システム。
（項目９）
上記ワークフロー実行論理は、上記ワークフローの各ワークフロー構成要素について、表示上で少なくとも１つの出力を生成する、項目８に記載の医療用流体送達システム。
（項目１０）
上記ワークフロー実行論理は、上記ワークフローに従って表示上で一連の出力を生成する、項目８〜９のうちのいずれか１項に記載の医療用流体送達システム。
（項目１１）
上記ワークフロー実行論理は、上記ワークフローの実施を一時的に一時停止するように動作する、一時停止機能を備え、
上記ワークフローが一時的に一時停止されている間に、上記医療用流体送達システムは、上記ワークフローの一部ではない機能を実施するように動作可能であり、上記ワークフロー実行論理は、上記一時停止機能の完了後に再開する、項目８〜１０のうちのいずれか１項に記載の医療用流体送達システム。
（項目１２）
上記ワークフロー実行論理は、所定の順序で、上記適正な一部の上記複数の利用可能なワークフロー構成要素のうちの各ワークフロー構成要素を連続的に実行するように動作する、項目８〜１１のうちのいずれか１項に記載の医療用流体送達システム。
（項目１３）
複数の記憶されたワークフローをさらに備える、項目１〜１２のうちのいずれか１項に記載の医療用流体送達システム。
（項目１４）
上記複数の記憶されたワークフローからのワークフローの選択を可能にする、データ入力デバイスをさらに備える、項目１３に記載の医療用流体送達システム。
（項目１５）
医療用流体送達システムを操作する方法であって、
複数の利用可能なワークフロー構成要素を備える、医療用流体送達システムを提供するステップと、
ワークフロー内に含むために、上記複数の利用可能なワークフロー構成要素から適正な一部のワークフロー構成要素を選択するステップと
を含む、方法。
（項目１６）
上記ワークフローを形成するように、上記適正な一部のうちのワークフロー構成要素を配設するステップをさらに含む、項目１５に記載の方法。
（項目１７）
上記選択するステップおよび配設するステップのうちの少なくとも１つは、上記医療用流体送達システムによって、一式の相互排他的ワークフロー構成要素のうちの上記ワークフロー内の包含を防止するステップを含む、項目１５に記載の方法。
（項目１８）
共通色、共通パターン、および共通形状のうちの少なくとも１つを伴う、上記一式の相互排他的ワークフロー構成要素のうちの各ワークフロー構成要素を表す、視覚要素を表示するステップをさらに含む、項目１７に記載の方法。
（項目１９）
上記配設するステップは、ワークフロー構成要素が別のワークフロー構成要素に対して不適切な位置にあることをユーザに示す、上記医療用流体送達システムを備える、項目１６〜１８のうちのいずれか１項に記載の方法。
（項目２０）
ユーザインターフェース上に複数の視覚要素を表示するステップをさらに含み、上記複数の視覚要素のそれぞれは、上記複数の利用可能なワークフロー構成要素のうちの少なくとも１つのワークフロー構成要素を表す、項目１５〜１９のうちのいずれか１項に記載の方法。
（項目２１）
上記選択するステップは、上記ユーザインターフェースの第１の部分から上記ユーザインターフェースの第２の部分へ上記視覚要素のうちの１つを移動させるステップを含む、項目２０に記載の方法。
（項目２２）
上記ユーザインターフェースの上記第１の部分は、未選択のワークフロー構成要素を表す複数の視覚要素を備え、上記ユーザインターフェースの上記第２の部分は、選択されたワークフロー構成要素を表す複数の視覚要素を備える、項目２１に記載の方法。
（項目２３）
上記選択するステップは、上記ワークフロー内に、調整可能パラメータを備えるワークフロー構成要素を含むステップを含む、項目１５〜２２のうちのいずれか１項に記載の方法。
（項目２４）
上記選択するステップおよび配設するステップのうちの少なくとも1つの間に、上記調
整可能パラメータの初期設定値を入力するステップをさらに含む、項目２３に記載の方法。
（項目２５）
上記選択するステップおよび配設するステップのうちの少なくとも1つの間に、上記調
整可能パラメータの初期設定範囲を入力するステップをさらに含む、項目２３に記載の方法。
（項目２６）
上記選択するステップおよび配設するステップの完了後に、上記調整可能パラメータの値を入力するステップをさらに含む、項目２４〜２５のうちのいずれか１項に記載の方法。
（項目２７）
上記選択するステップおよび配設するステップの間に、部分的に構築されたワークフローの表現を表示するステップをさらに含む、項目１５〜２６のうちのいずれか１項に記載の方法。
（項目２８）
上記適正な一部のうちのワークフロー構成要素と関連する表示のテキスト要素をカスタマイズするステップをさらに含む、項目１５〜２７のうちのいずれか１項に記載の方法。
（項目２９）
患者に医療用流体を注入するために、上記医療用流体送達システムを準備するように上記ワークフローの少なくとも一部分を実施するステップをさらに含む、項目１５〜２８のうちのいずれか１項に記載の方法。
（項目３０）
上記ワークフローの上記少なくとも一部分は、上記医療用流体送達システム上にシリンジを載置するステップに関するワークフロー構成要素を備える、項目２９に記載の方法。
（項目３１）
上記ワークフローの上記少なくとも一部分は、上記医療用流体送達システムの複数部分から空気を排出するステップに関するワークフロー構成要素を備える、項目２９〜３０のうちのいずれか１項に記載の方法。
（項目３２）
上記ワークフローの少なくとも一部分を実施する上記ステップは、臨床医に対する指図を表示するステップ、および上記医療用流体送達システムによる、上記適正な一部のうちのワークフロー構成要素の少なくとも一部分の自動実施のうちの少なくとも１つを含む、項目２９〜３１のうちのいずれか１項に記載の方法。
（項目３３）
上記実施するステップは、第１のワークフロー構成要素と関連する第１の表示、および第２のワークフロー構成要素と関連する第２の表示を連続的に表示するステップを含み、上記第１の表示は、上記第２のワークフロー構成要素に関する情報を含まず、上記第２の表示は、上記第１のワークフロー構成要素に関する情報を含まない、項目２９〜３２のうちのいずれか１項に記載の方法。
（項目３４）
上記医療用流体送達システムから医療用流体を放出するステップをさらに含む、項目１５〜３３のうちのいずれか１項に記載の方法。
（項目３５）
患者に医療用流体を注入するように上記ワークフローを実行するステップをさらに含む、項目１５〜２８のうちのいずれか１項に記載の方法。
（項目３６）
上記実行するステップは、プロトコルを選択するステップを含み、上記医療用流体送達システムは、上記プロトコルを選択するステップで選択された上記プロトコルに基づいて、上記ワークフローを選択する、項目３５に記載の方法。
（項目３７）
上記選択するステップは、医療用流体送達システム管理者によって実施され、上記実行するステップは、臨床医によって開始される、項目３５〜３６のうちのいずれか１項に記載の方法。
（項目３８）
上記選択するステップは、上記適正な一部のうちのワークフロー構成要素に関する初期設定値を割り当てるステップを含み、上記実行するステップは、上記初期設定値を使用して実施される、項目３５〜３７のうちのいずれか１項に記載の方法。
（項目３９）
上記実行するステップの間に、上記初期設定値を無効にするステップをさらに含む、項目３８に記載の方法。
（項目４０）
上記初期設定値を割り当てるステップは、ユーザによって実施される、項目３８〜３９のうちのいずれか１項に記載の方法。
（項目４１）
上記選択するステップは、上記適正な一部のうちのワークフロー構成要素に関する初期設定範囲を割り当てるステップを含み、上記実行するステップは、上記初期設定値を使用して実施される、項目３５〜４０のうちのいずれか１項に記載の方法。
（項目４２）
上記実行するステップの間に、上記ワークフロー構成要素に関する値が上記範囲の外側にあることを示す警告を生成するステップをさらに含む、項目４１に記載の方法。
（項目４３）
上記初期設定範囲を割り当てるステップは、ユーザによって実施される、項目４１〜４２のうちのいずれか１項に記載の方法。
（項目４４）
上記実行するステップは、上記適正な一部のワークフロー構成要素を連続的に実施するステップを含む、項目３５〜４３のうちのいずれか１項に記載の方法。
（項目４５）
上記実行するステップは、第１の表示上に臨床医に対する指図を提示するステップ、および上記医療用流体送達システムによる、上記適正な一部のうちのワークフロー構成要素の少なくとも一部分の自動実施のうちの少なくとも１つを含む、項目３５〜４４のうちのいずれか１項に記載の方法。
（項目４６）
上記実行するステップは、連続的に、第１のワークフロー構成要素と関連する第１の表示上に第１の出力を提示し、第２のワークフロー構成要素と関連する第２の表示上に第２の出力を提示するステップを含み、上記第１の出力は、上記第２のワークフロー構成要素に関する情報を含まず、上記第２の出力は、上記第１のワークフロー構成要素に関する情報を含まない、項目３５〜４５のうちのいずれか１項に記載の方法。
（項目４７）
上記第２のワークフロー構成要素と関連する上記第２の出力を提示するステップは、上記第１のワークフロー構成要素の完了後に自動的に発生する、項目４６に記載の方法。
（項目４８）
各ワークフロー構成要素の完了前に上記ワークフローを終了するステップと、
上記ワークフローから逸脱するタスクを上記医療用流体送達システムで実施するステップと
をさらに含む、項目３５〜４７のうちのいずれか１項に記載の方法。
（項目４９）
上記選択するステップの実施を可能にするように、上記医療用流体送達システムにパスワードを提供するステップをさらに含む、項目１５〜４８のうちのいずれか１項に記載の方法。
（項目５０）
上記選択するステップの後に上記ワークフローを保存するステップをさらに含む、項目１５〜４９のうちのいずれか１項に記載の方法。
（項目５１）
上記保存するステップの後、および上記実行するステップの前に、上記ワークフローを選択するステップをさらに含む、項目５０に記載の方法。
（項目５２）
上記選択するステップは、複数の記憶されたワークフローから上記ワークフローを選抜するステップを含む、項目５１に記載の方法。
（項目５３）
上記選抜するステップは、データ入力デバイスで実施される、項目５２に記載の方法。
（項目５４）
上記保存するステップの後、および上記実行するステップの前に、初期設定ワークフローとして上記ワークフローを指定するステップをさらに含む、項目５０に記載の方法。
（項目５５）
注入デバイスと、メモリユニットとを備える、医療用流体送達システムであって、上記メモリユニットは、
注入実行パラメータを含有する、少なくとも１つの注入プロトコルと、
複数のワークフロー構成要素と、
第１の適正な一部の上記複数のワークフロー構成要素を備える、第１のワークフローであって、上記第１のワークフローは、上記第１の適正な一部に含有されないワークフロー構成要素を含まない、第１のワークフローと
を備える、医療用流体送達システム。
（項目５６）
それぞれ注入実行パラメータを含有する、複数の注入プロトコルをさらに備える、項目５５に記載の医療用流体送達システム。
（項目５７）
第２の適正な一部の上記複数のワークフロー構成要素を備える、第２のワークフローをさらに備え、上記第２のワークフローは、上記第２の適正な一部に含有されないワークフロー構成要素を含まず、上記第１の適正な一部は、上記第２の適正な一部とは異なる、項目５５〜５６のうちのいずれか１項に記載の医療用流体送達システム。
【国際調査報告】
2012510315.tif 000013
2012510315.tif 000014